(57)【要約】【課題】携帯電話会員の場合でも、携帯電話機を使用して、玉貸出機からの簡単な操作で現在持玉数を携帯電話機に紐付けて貯玉できる。【解決手段】携帯電話会員毎に、携帯電話機の会員ＩＤｍ、プリペイド残額、持玉残高及び貯玉残高を管理する管理装置４と、現在獲得玉数を現在持玉数として計数する玉計数部４２を備えた玉貸出機３とを有する遊技台管理システムであって、玉貸出機３は、貯玉ボタン３４Ｅのボタン操作を検出すると、携帯用リーダライタ部３３の操作受付を有効にする操作受付制御部５２と、操作受付有効中に携帯電話機２のかざし操作を検出すると、携帯電話機２のＩＤｍを取得し、管理装置４に管理中のＩＤｍに対応する貯玉残高に、現在持玉数を加算更新すべく、貯蓄更新指示を管理装置４に指示する貯蓄更新指示部５９とを有している。【選択図】図５
2010154984.tif 000002
【特許請求の範囲】
【請求項１】
特定個人毎に、遊技に使用可能な価値情報及び特定個人の携帯媒体を識別する携帯媒体識別情報を管理する管理装置と、前記価値情報の原資となる原資媒体を受け付ける遊技媒体貸出装置とを有する遊技媒体管理システムであって、
前記遊技媒体貸出装置は、
前記携帯媒体の所定操作を検出すると、前記携帯媒体の携帯媒体識別情報を取得する識別情報取得部と、
前記原資媒体を受け付ける原資媒体受付部と、
前記識別情報取得部にて前記携帯媒体識別情報を取得し、前記管理装置に管理中の前記携帯媒体識別情報に対応する価値情報に、前記原資媒体受付部で受け付けた原資媒体の内、遊技に使用していない残存価値を加算更新すべく、加算更新指示を前記管理装置に指示する加算更新指示部と
を有し、
前記管理装置は、
前記遊技媒体貸出装置からの前記加算更新指示に基づき、前記管理中の前記携帯媒体識別情報に対応する価値情報に、前記残存価値を加算更新する加算更新制御部を有することを特徴とする遊技媒体管理システム。
【請求項２】
前記管理装置は、
前記価値情報として貯蓄遊技媒体数を管理し、
前記遊技媒体貸出装置は、
前記原資媒体として獲得した遊技媒体を獲得遊技媒体数として計数する、前記原資媒体受付部としての遊技媒体計数部を有し、
前記加算更新指示部は、
前記遊技に使用していない前記獲得遊技媒体数を、前記携帯媒体識別情報に紐付けて前記貯蓄遊技媒体数に加算更新すべく、加算更新指示を前記管理装置に指示し、
前記管理装置の前記加算更新制御部は、
前記遊技媒体貸出装置からの前記加算更新指示に基づき、前記管理中の前記携帯媒体識別情報に対応する前記貯蓄遊技媒体数に、前記獲得遊技媒体数を加算更新することを特徴とする請求項１記載の遊技媒体管理システム。
【請求項３】
前記管理装置は、
前記価値情報として保有遊技媒体数を管理し、
前記遊技媒体貸出装置は、
前記原資媒体として獲得した遊技媒体を獲得遊技媒体数として計数する、前記原資媒体受付部としての遊技媒体計数部を有し、
前記加算更新指示部は、
前記遊技に使用していない前記獲得遊技媒体数を、前記携帯媒体識別情報に紐付けて前記保有遊技媒体数に加算更新すべく、加算更新指示を前記管理装置に指示し、
前記管理装置の前記加算更新制御部は、
前記遊技媒体貸出装置からの前記加算更新指示に基づき、前記管理中の前記携帯媒体識別情報に対応する前記保有遊技媒体数に、前記獲得遊技媒体数を加算更新することを特徴とする請求項１記載の遊技媒体管理システム。
【請求項４】
前記管理装置は、
前記価値情報として貯蓄遊技媒体数も管理し、
前記管理中の前記携帯媒体識別情報に対応する前記保有遊技媒体数を、所定タイミングで前記携帯媒体識別情報に対応する前記貯蓄遊技媒体数に加算更新することを特徴とする請求項３記載の遊技媒体管理システム。
【請求項５】
前記管理装置は、
前記価値情報として保有有価残高を管理し、
前記遊技媒体貸出装置は、
前記原資媒体を受け付けると、その原資媒体内の有価残高を特定する有価残高特定部を有し、前記有価残高特定部にて特定した有価残高に基づき、前記遊技媒体を貸し出し、
前記遊技媒体貸出装置の前記加算更新指示部は、
前記遊技に使用していない前記有価残高を、前記携帯媒体識別情報に紐付けて前記保有有価残高に加算更新すべく、加算更新指示を前記管理装置に指示し、
前記管理装置の前記加算更新制御部は、
前記遊技媒体貸出装置からの前記加算更新指示に基づき、前記管理中の前記携帯媒体識別情報に対応する前記保有有価残高に、前記有価残高を加算更新することを特徴とする請求項１記載の遊技媒体管理システム。
【請求項６】
前記遊技媒体貸出装置は、
加算更新操作を受け付けると、前記識別情報取得部の操作受付を有効化することを特徴とする請求項１〜５の何れか一に記載の遊技媒体管理システム。
【請求項７】
前記遊技媒体貸出装置は、
前記識別情報取得部の操作受付を有効化して所定時間以内に、前記識別情報取得部を通じて前記携帯媒体識別情報を取得できなかった場合、前記遊技媒体貸出装置の動作をエラー停止することを特徴とする請求項６記載の遊技媒体管理システム。
【請求項８】
前記遊技媒体貸出装置は、
再プレイ操作を検出すると、前記識別情報取得部の操作受付を有効化にする操作受付有効部と、
前記識別情報取得部の前記操作受付有効中に、前記識別情報取得部に対する前記携帯媒体の前記所定操作を検出すると、前記識別情報取得部を通じて前記携帯媒体識別情報を取得し、前記管理装置に管理中の前記携帯媒体識別情報に対応する貯蓄遊技媒体数に基づき、前記遊技媒体を引き出す遊技媒体引出部とを有し、
前記管理装置は、
前記遊技媒体引出部の遊技媒体引出動作に応じて、前記管理中の前記携帯媒体識別情報に対応する貯蓄遊技媒体数から引出分の遊技媒体数を減算更新することを特徴とする請求項２記載の遊技媒体管理システム。
【請求項９】
前記遊技媒体貸出装置は、
遊技媒体返却操作を検出すると、前記識別情報取得部の前記操作受付を有効化にする操作受付有効部と、
前記識別情報取得部の前記操作受付有効中に、前記識別情報取得部に対する前記携帯媒体の前記所定操作を検出すると、前記識別情報取得部を通じて前記携帯媒体識別情報を取得し、前記管理装置に管理中の前記携帯媒体識別情報に対応する保有遊技媒体数に基づき、前記遊技媒体を返却する遊技媒体返却部とを有し、
前記管理装置は、
前記遊技媒体返却部の遊技媒体返却動作に応じて、前記管理中の前記携帯媒体識別情報に対応する保有遊技媒体数から返却分の遊技媒体数を減算更新することを特徴とする請求項３又は４記載の遊技媒体管理システム。
【請求項１０】
前記遊技媒体貸出装置は、
遊技媒体貸出操作を検出すると、前記識別情報取得部の前記操作受付を有効にする操作受付有効部と、
前記識別情報取得部の前記操作受付有効中に、前記識別情報取得部に対する前記携帯媒体の前記所定操作を検出すると、前記識別情報取得部を通じて前記携帯媒体識別情報を取得し、前記管理装置に管理中の前記携帯媒体識別情報に対応する保有有価残高数に基づき、前記遊技媒体を貸し出す遊技媒体貸出部とを有し、
前記管理装置は、
前記遊技媒体貸出部の遊技媒体貸出動作に応じて、前記管理中の前記携帯媒体識別情報に対応する保有有価残高数から貸出分の有価残高数を減算更新することを特徴とする請求項５記載の遊技媒体管理システム。
【請求項１１】
前記管理装置は、
前記価値情報として保有有価残高も管理し、
前記遊技媒体貸出装置は、
少なくとも、前記保有有価残高に基づき前記遊技媒体を貸し出す遊技媒体貸出部を内蔵する第１ユニットと、
少なくとも、前記識別情報取得部及び前記加算更新指示部を内蔵する第２ユニットと
を含むことを特徴とする請求項２〜４の何れか一に記載の遊技媒体管理システム。
【請求項１２】
特定個人毎に、遊技に使用可能な価値情報及び特定個人の携帯媒体を識別する携帯媒体識別情報を管理する管理装置に管理中の前記価値情報の原資となる原資媒体を受け付ける遊技媒体貸出装置であって、
前記携帯媒体の所定操作を検出すると、前記携帯媒体の携帯媒体識別情報を取得する識別情報取得部と、
前記原資媒体として獲得した遊技媒体を獲得遊技媒体数として計数する遊技媒体計数部と、
前記識別情報取得部にて前記携帯媒体識別情報を取得し、前記管理装置に管理中の前記携帯媒体識別情報に対応する価値情報としての貯蓄遊技媒体数に、遊技に使用していない前記獲得遊技媒体数を、前記携帯媒体識別情報に紐付けて加算更新すべく、加算更新指示を前記管理装置に指示する加算更新指示部と
を有することを特徴とする遊技媒体貸出装置。
【請求項１３】
特定個人毎に、遊技に使用可能な価値情報及び特定個人の携帯媒体を識別する携帯媒体識別情報を管理する管理装置に管理中の前記価値情報の原資となる原資媒体を受け付ける遊技媒体貸出装置であって、
前記携帯媒体の所定操作を検出すると、前記携帯媒体の携帯媒体識別情報を取得する識別情報取得部と、
前記原資媒体として獲得した遊技媒体を獲得遊技媒体数として計数する遊技媒体計数部と、
前記識別情報取得部にて前記携帯媒体識別情報を取得し、前記管理装置に管理中の前記携帯媒体識別情報に対応する価値情報としての保有遊技媒体数に、遊技に使用していない前記獲得遊技媒体数を、前記携帯媒体識別情報に紐付けて加算更新すべく、加算更新指示を前記管理装置に指示する加算更新指示部と
を有することを特徴とする遊技媒体貸出装置。
【請求項１４】
特定個人毎に、遊技に使用可能な価値情報及び特定個人の携帯媒体を識別する携帯媒体識別情報を管理する管理装置に管理中の前記価値情報の原資となる原資媒体を受け付ける遊技媒体貸出装置であって、
前記携帯媒体の所定操作を検出すると、前記携帯媒体の携帯媒体識別情報を取得する識別情報取得部と、
前記原資媒体を受け付ける原資媒体受付部と、
前記原資媒体を受け付けると、その原資媒体内の有価残高を特定する有価残高特定部と、
前記有価残高特定部にて特定した有価残高に基づき、前記遊技媒体を貸し出す遊技媒体貸出部と、
前記識別情報取得部にて前記携帯媒体識別情報を取得し、前記管理装置に管理中の前記携帯媒体識別情報に対応する価値情報としての保有有価残高に、遊技に使用していない前記有価残高を、前記携帯媒体識別情報に紐付けて加算更新すべく、加算更新指示を前記管理装置に指示する加算更新指示部と
を有することを特徴とする遊技媒体貸出装置。
【請求項１５】
特定個人毎に、遊技に使用可能な価値情報及び特定個人の携帯媒体を識別する携帯媒体識別情報を管理する管理装置に管理中の前記価値情報の原資となる原資媒体を受け付ける遊技媒体貸出装置の遊技媒体管理方法であって、
前記携帯媒体の所定操作を検出すると、前記携帯媒体の携帯媒体識別情報を取得する識別情報取得ステップと、
前記原資媒体として獲得した遊技媒体を獲得遊技媒体数として計数する遊技媒体計数ステップと、
前記識別情報取得ステップにて前記携帯媒体識別情報を取得し、前記管理装置に管理中の前記携帯媒体識別情報に対応する価値情報としての貯蓄遊技媒体数に、遊技に使用していない前記獲得遊技媒体数を、前記携帯媒体識別情報に紐付けて加算更新すべく、加算更新指示を前記管理装置に指示する加算更新指示ステップと
を含むことを特徴とする遊技媒体管理方法。
【請求項１６】
特定個人毎に、遊技に使用可能な価値情報及び特定個人の携帯媒体を識別する携帯媒体識別情報を管理する管理装置に管理中の前記価値情報の原資となる原資媒体を受け付ける遊技媒体貸出装置の遊技媒体管理方法であって、
前記携帯媒体の所定操作を検出すると、前記携帯媒体の携帯媒体識別情報を取得する識別情報取得ステップと、
前記原資媒体として獲得した遊技媒体を獲得遊技媒体数として計数する遊技媒体計数ステップと、
前記識別情報取得ステップにて前記携帯媒体識別情報を取得し、前記管理装置に管理中の前記携帯媒体識別情報に対応する価値情報としての保有遊技媒体数に、遊技に使用していない前記獲得遊技媒体数を、前記携帯媒体識別情報に紐付けて加算更新すべく、加算更新指示を前記管理装置に指示する加算更新指示ステップと
を含むことを特徴とする遊技媒体管理方法。
【請求項１７】
特定個人毎に、遊技に使用可能な価値情報及び特定個人の携帯媒体を識別する携帯媒体識別情報を管理する管理装置に管理中の前記価値情報の原資となる原資媒体を受け付ける遊技媒体貸出装置の遊技媒体管理方法であって、
前記携帯媒体の所定操作を検出すると、前記携帯媒体の携帯媒体識別情報を取得する識別情報取得ステップと、
前記原資媒体を受け付ける原資媒体受付ステップと、
前記原資媒体を受け付けると、その原資媒体内の有価残高を特定する有価残高特定ステップと、
前記有価残高特定ステップにて特定した有価残高に基づき、前記遊技媒体を貸し出す遊技媒体貸出ステップと、
前記識別情報取得ステップにて前記携帯媒体識別情報を取得し、前記管理装置に管理中の前記携帯媒体識別情報に対応する価値情報としての保有有価残高に、遊技に使用していない前記有価残高を、前記携帯媒体識別情報に紐付けて加算更新すべく、加算更新指示を前記管理装置に指示する加算更新指示ステップと
を含むことを特徴とする遊技媒体管理方法。
【発明の詳細な説明】
【技術分野】
【０００１】
本発明は、遊技店内の遊技台に併設し、遊技台で使用する遊技媒体を貸し出す遊技媒体貸出装置を有する遊技媒体管理システム、その遊技媒体貸出装置及び遊技媒体管理方法に関する。
【背景技術】
【０００２】
近年、遊技店では、店内の遊技台で獲得した持玉を景品交換することなく、遊技店に預けることができる貯玉管理システムが知られている。
【０００３】
このような貯玉管理システムとして本出願人は、遊技客の個人情報を用いて遊技店に登録された会員と、遊技客の携帯電話機を用いて遊技店に仮登録された仮会員（携帯電話会員）との貯玉情報を管理し、会員及び仮会員（携帯電話会員）に対して貯玉情報を利用した再プレイサービスを提供する携帯貯玉システムを提案している（例えば、特許文献１参照）。
【０００４】
特許文献１では、会員カードが発行されていない遊技客であっても、玉計数機の携帯用リーダライタ部に遊技客の携帯電話機をかざし操作することで、携帯電話機内部のＩＣチップの製造番号（以下、単にＩＤｍと称する）に対応付けて遊技客を仮会員（携帯電話会員）登録し、遊技客は遊技店内のカウンタに赴かなくても、その持玉を貯玉することができる。
【０００５】
さらに、特許文献１では、再プレイ機の携帯用リーダライタ部に遊技客の携帯電話機をかざし操作することで、貯玉残高から持玉を引き出して再プレイを行うことができる。
【０００６】
さらに、特許文献１の玉貸出機では、会員を識別する会員ＩＤ毎に携帯電話機のＩＤｍ及び貯玉残高を管理装置側で管理し、玉貸出機の携帯用リーダライタ部への携帯電話機のかざし操作で携帯電話機のＩＤｍを取得し、管理中の会員ＩＤｍと照合すると共に、玉貸出機のテンキー部を通じて暗証番号を入力し、予め登録した会員暗証番号と照合し、これらＩＤｍ同士及び暗証番号同士が合致した場合、再プレイのボタン操作に応じて、管理中の会員の貯玉残高から持玉を引き出すことができる。
【０００７】
また、近年、遊技店では、島端等に配置される玉計数機での玉計数を不要化する観点から、各遊技台に併設される台間機が玉計数機能を有し、この玉計数機能で獲得玉数を計数し、その計数結果を持玉として記憶管理し、持玉数範囲内で再プレイを行うことができる各台計数システムが知られている（例えば、特許文献２参照）。
【０００８】
特許文献２のシステムでは、プリペイドカード等の一般カードを使用した遊技台のプレイ終了時に、現在のプリペイド残額及び現在持玉数とを記録した一般カードを遊技客に返却するものである。尚、一般カードとは、非会員の遊技客が使用する一般のプリペイドカード、これに対して、会員カードとは、遊技店に会員登録した遊技客が使用するプリペイド一体型会員カードに相当するものである。
【０００９】
また、遊技業界では、会員カードの場合、会員カードで紐付けて管理する持玉数を貯玉する場合、会員自身が意識することなく、閉店処理時や翌日の開店処理時に現在持玉を自動的に貯玉できるのに対し、一般カードの場合、計数レシートと同一の扱いとなるため、現在持玉数は当日限定の持玉となることから、この持玉を貯玉する場合には、わざわざカウンタに赴き、オペレータによる貯玉処理を経て貯玉するシステムを採用している。
【００１０】
【特許文献１】特開２００８−２１２４０９号公報（段落番号「００６７」〜「００７０」及び図６参照）
【特許文献２】特開２００７−２２９１１１号公報
【発明の開示】
【発明が解決しようとする課題】
【００１１】
特許文献１の携帯貯玉システム及び特許文献２の各台計数システム両方を導入したとしても、会員カードの会員の場合、遊技台のプレイ終了時に、プリペイド残額、現在持玉数及び現在貯玉残高を一枚の会員カードに紐付けして玉貸出機から会員カードを同会員に返却することになるが、携帯電話会員の場合、貯玉残高は携帯電話機に紐付けしているものの、プリペイド残額及び持玉数については一般カードで紐付けして玉貸出機から携帯電話会員に返却することになる。
【００１２】
しかしながら、このような遊技玉管理システムでは、会員カードの場合、会員自身が意識することなく、閉店処理時や翌日の開店処理時に現在持玉を自動的に貯玉することになるため、何等問題はないが、携帯電話会員の場合、現在持玉を一般カードで返却されることになるため、その現在持玉を貯玉する場合は、わざわざカウンタに赴き、オペレータ操作で現在持玉を貯玉しなければならず、しかも、閉店間際のカウンタは大変混雑するため、携帯電話会員に大きな負担をかける。
【００１３】
さらに、遊技玉管理システムでは、一般カードで紐付けされる現在持玉数は当日限定の持玉となるため、携帯電話会員が誤認して当日限定の持玉数を翌日に持ち越してしまった場合、その一般カードの持玉数は計数レシートと同一扱いとなり、一般カードの持玉数は無効となるため、顧客サービスに支障を来たすおそれがある。
【００１４】
さらに、遊技玉管理システムでは、携帯電話会員の場合、貯玉残高は携帯電話機で紐付けしているものの、プリペイド残額及び現在持玉数は一般カードで紐付けて玉貸出機から返却されることになるため、携帯電話機だけでなく、一般カードも必要なため、会員カードの会員に比較して、現在持玉に関する管理が煩雑化する。
【００１５】
また、同様に、遊技台管理システムでは、現在プリペイド残額についても、一般カードで紐付けて返却されることになるため、携帯電話会員の場合、携帯電話機だけでなく、一般カードも必要なため、会員カードの会員に比較して、現在プリペイド残額に関する管理が煩雑化する。
【００１６】
本発明は上記点に鑑みてなされたものであり、その第１の目的とするところは、携帯電話会員（特定個人）の場合でも、携帯電話機（携帯媒体）を使用して、玉貸出機（遊技媒体貸出装置）からの簡単な操作で現在持玉数（保有遊技媒体数）を携帯電話機（携帯媒体）に紐付けて貯玉できる遊技媒体管理システム、遊技媒体貸出装置及び遊技媒体管理方法を提供することにある。
【００１７】
また、本発明の第２の目的とするところは、携帯電話会員（特定個人）の場合でも、携帯電話機（携帯媒体）を使用して、玉貸出機（遊技媒体貸出装置）からの簡単な操作で現在持玉（保有遊技媒体）を携帯電話機（携帯媒体）に紐付けて管理できる遊技媒体管理システム、遊技媒体貸出装置及び遊技媒体管理方法を提供することにある。
【００１８】
また、本発明の第３の目的とするところは、携帯電話会員（特定個人）の場合でも、携帯電話機（携帯媒体）を使用して、玉貸出機（遊技媒体貸出装置）からの簡単な操作で現在プリペイド残額（保有有価残高）を携帯電話機（携帯媒体）に紐付けて管理できる遊技媒体管理システム、遊技媒体貸出装置及び遊技媒体管理方法を提供することにある。
【課題を解決するための手段】
【００１９】
上記目的を達成するために本発明の遊技媒体管理システムは、特定個人毎に、遊技に使用可能な価値情報及び特定個人の携帯媒体を識別する携帯媒体識別情報を管理する管理装置と、前記価値情報の原資となる原資媒体を受け付ける遊技媒体貸出装置とを有する遊技媒体管理システムであって、前記遊技媒体貸出装置は、前記携帯媒体の所定操作を検出すると、前記携帯媒体の携帯媒体識別情報を取得する識別情報取得部と、前記原資媒体を受け付ける原資媒体受付部と、前記識別情報取得部にて前記携帯媒体識別情報を取得し、前記管理装置に管理中の前記携帯媒体識別情報に対応する価値情報に、前記原資媒体受付部で受け付けた原資媒体の内、遊技に使用していない残存価値を加算更新すべく、加算更新指示を前記管理装置に指示する加算更新指示部とを有し、前記管理装置は、前記遊技媒体貸出装置からの前記加算更新指示に基づき、前記管理中の前記携帯媒体識別情報に対応する価値情報に、前記残存価値を加算更新する加算更新制御部を有することを要件とする。
【００２０】
また、本発明の遊技媒体管理システムは、上記発明の構成において、前記管理装置は、前記価値情報として貯蓄遊技媒体数を管理し、前記遊技媒体貸出装置は、前記原資媒体として獲得した遊技媒体を獲得遊技媒体数として計数する、前記原資媒体受付部としての遊技媒体計数部を有し、前記加算更新指示部は、前記遊技に使用していない前記獲得遊技媒体数を、前記携帯媒体識別情報に紐付けて前記貯蓄遊技媒体数に加算更新すべく、加算更新指示を前記管理装置に指示し、前記管理装置の前記加算更新制御部は、前記遊技媒体貸出装置からの前記加算更新指示に基づき、前記管理中の前記携帯媒体識別情報に対応する前記貯蓄遊技媒体数に、前記獲得遊技媒体数を加算更新することを要件とする。
【００２１】
また、本発明の遊技媒体管理システムは、上記発明の構成において、前記管理装置は、前記価値情報として保有遊技媒体数を管理し、前記遊技媒体貸出装置は、前記原資媒体として獲得した遊技媒体を獲得遊技媒体数として計数する、前記原資媒体受付部としての遊技媒体計数部を有し、前記加算更新指示部は、前記遊技に使用していない前記獲得遊技媒体数を、前記携帯媒体識別情報に紐付けて前記保有遊技媒体数に加算更新すべく、加算更新指示を前記管理装置に指示し、前記管理装置の前記加算更新制御部は、前記遊技媒体貸出装置からの前記加算更新指示に基づき、前記管理中の前記携帯媒体識別情報に対応する前記保有遊技媒体数に、前記獲得遊技媒体数を加算更新することを要件とする。
【００２２】
また、本発明の遊技媒体管理システムは、上記発明の構成においては、前記管理装置は、前記価値情報として貯蓄遊技媒体数も管理し、前記管理中の前記携帯媒体識別情報に対応する前記保有遊技媒体数を、所定タイミングで前記携帯媒体識別情報に対応する前記貯蓄遊技媒体数に加算更新することを要件とする。
【００２３】
また、本発明の遊技媒体管理システムは、上記発明の構成において、前記管理装置は、前記価値情報として保有有価残高を管理し、前記遊技媒体貸出装置は、前記原資媒体を受け付けると、その原資媒体内の有価残高を特定する有価残高特定部を有し、前記有価残高特定部にて特定した有価残高に基づき、前記遊技媒体を貸し出し、前記遊技媒体貸出装置の前記加算更新指示部は、前記遊技に使用していない前記有価残高を、前記携帯媒体識別情報に紐付けて前記保有有価残高に加算更新すべく、加算更新指示を前記管理装置に指示し、前記管理装置の前記加算更新制御部は、前記遊技媒体貸出装置からの前記加算更新指示に基づき、前記管理中の前記携帯媒体識別情報に対応する前記保有有価残高に、前記有価残高を加算更新することを要件とする。
【００２４】
また、本発明の遊技媒体管理システムは、上記発明の構成において、前記遊技媒体貸出装置は、加算更新操作を受け付けると、前記識別情報取得部の操作受付を有効化することを要件とする。
【００２５】
また、本発明の遊技媒体管理システムは、上記発明の構成において、前記遊技媒体貸出装置は、前記識別情報取得部の操作受付を有効化して所定時間以内に、前記識別情報取得部を通じて前記携帯媒体識別情報を取得できなかった場合、前記遊技媒体貸出装置の動作をエラー停止することを要件とする。
【００２６】
また、本発明の遊技媒体管理システムは、上記発明の構成において、前記遊技媒体貸出装置は、再プレイ操作を検出すると、前記識別情報取得部の操作受付を有効化にする操作受付有効部と、前記識別情報取得部の前記操作受付有効中に、前記識別情報取得部に対する前記携帯媒体の前記所定操作を検出すると、前記識別情報取得部を通じて前記携帯媒体識別情報を取得し、前記管理装置に管理中の前記携帯媒体識別情報に対応する貯蓄遊技媒体数に基づき、前記遊技媒体を引き出す遊技媒体引出部とを有し、前記管理装置は、前記遊技媒体引出部の遊技媒体引出動作に応じて、前記管理中の前記携帯媒体識別情報に対応する貯蓄遊技媒体数から引出分の遊技媒体数を減算更新することを要件とする。
【００２７】
また、本発明の遊技媒体管理システムは、上記発明の構成において、前記遊技媒体貸出装置は、遊技媒体返却操作を検出すると、前記識別情報取得部の前記操作受付を有効化にする操作受付有効部と、前記識別情報取得部の前記操作受付有効中に、前記識別情報取得部に対する前記携帯媒体の前記所定操作を検出すると、前記識別情報取得部を通じて前記携帯媒体識別情報を取得し、前記管理装置に管理中の前記携帯媒体識別情報に対応する保有遊技媒体数に基づき、前記遊技媒体を返却する遊技媒体返却部とを有し、前記管理装置は、前記遊技媒体返却部の遊技媒体返却動作に応じて、前記管理中の前記携帯媒体識別情報に対応する保有遊技媒体数から返却分の遊技媒体数を減算更新することを要件とする。
【００２８】
また、本発明の遊技媒体管理システムは、上記発明の構成において、前記遊技媒体貸出装置は、遊技媒体貸出操作を検出すると、前記識別情報取得部の前記操作受付を有効にする操作受付有効部と、前記識別情報取得部の前記操作受付有効中に、前記識別情報取得部に対する前記携帯媒体の前記所定操作を検出すると、前記識別情報取得部を通じて前記携帯媒体識別情報を取得し、前記管理装置に管理中の前記携帯媒体識別情報に対応する保有有価残高数に基づき、前記遊技媒体を貸し出す遊技媒体貸出部とを有し、前記管理装置は、前記遊技媒体貸出部の遊技媒体貸出動作に応じて、前記管理中の前記携帯媒体識別情報に対応する保有有価残高数から貸出分の有価残高数を減算更新することを要件とする。
【００２９】
また、本発明の遊技媒体管理システムは、上記発明の構成において、前記管理装置は、前記価値情報として保有有価残高も管理し、前記遊技媒体貸出装置は、少なくとも、前記保有有価残高に基づき前記遊技媒体を貸し出す遊技媒体貸出部を内蔵する第１ユニットと、少なくとも、前記識別情報取得部及び前記加算更新指示部を内蔵する第２ユニットとを含むことを要件とする。
【００３０】
上記目的を達成するために本発明の遊技媒体貸出装置は、特定個人毎に、遊技に使用可能な価値情報及び特定個人の携帯媒体を識別する携帯媒体識別情報を管理する管理装置に管理中の前記価値情報の原資となる原資媒体を受け付ける遊技媒体貸出装置であって、前記携帯媒体の所定操作を検出すると、前記携帯媒体の携帯媒体識別情報を取得する識別情報取得部と、前記原資媒体として獲得した遊技媒体を獲得遊技媒体数として計数する遊技媒体計数部と、前記識別情報取得部にて前記携帯媒体識別情報を取得し、前記管理装置に管理中の前記携帯媒体識別情報に対応する価値情報としての貯蓄遊技媒体数に、遊技に使用していない前記獲得遊技媒体数を、前記携帯媒体識別情報に紐付けて加算更新すべく、加算更新指示を前記管理装置に指示する加算更新指示部とを有することを要件とする。
【００３１】
また、上記目的を達成するために本発明の遊技媒体貸出装置は、特定個人毎に、遊技に使用可能な価値情報及び特定個人の携帯媒体を識別する携帯媒体識別情報を管理する管理装置に管理中の前記価値情報の原資となる原資媒体を受け付ける遊技媒体貸出装置であって、前記携帯媒体の所定操作を検出すると、前記携帯媒体の携帯媒体識別情報を取得する識別情報取得部と、前記原資媒体として獲得した遊技媒体を獲得遊技媒体数として計数する遊技媒体計数部と、前記識別情報取得部にて前記携帯媒体識別情報を取得し、前記管理装置に管理中の前記携帯媒体識別情報に対応する価値情報としての保有遊技媒体数に、遊技に使用していない前記獲得遊技媒体数を、前記携帯媒体識別情報に紐付けて加算更新すべく、加算更新指示を前記管理装置に指示する加算更新指示部とを有することを要件とする。
【００３２】
また、上記目的を達成するために本発明の遊技媒体貸出装置は、特定個人毎に、遊技に使用可能な価値情報及び特定個人の携帯媒体を識別する携帯媒体識別情報を管理する管理装置に管理中の前記価値情報の原資となる原資媒体を受け付ける遊技媒体貸出装置であって、前記携帯媒体の所定操作を検出すると、前記携帯媒体の携帯媒体識別情報を取得する識別情報取得部と、前記原資媒体を受け付ける原資媒体受付部と、前記原資媒体を受け付けると、その原資媒体内の有価残高を特定する有価残高特定部と、前記有価残高特定部にて特定した有価残高に基づき、前記遊技媒体を貸し出す遊技媒体貸出部と、前記識別情報取得部にて前記携帯媒体識別情報を取得し、前記管理装置に管理中の前記携帯媒体識別情報に対応する価値情報としての保有有価残高に、遊技に使用していない前記有価残高を、前記携帯媒体識別情報に紐付けて加算更新すべく、加算更新指示を前記管理装置に指示する加算更新指示部とを有することを要件とする。
【００３３】
また、上記目的を達成するために本発明の遊技媒体管理方法は、特定個人毎に、遊技に使用可能な価値情報及び特定個人の携帯媒体を識別する携帯媒体識別情報を管理する管理装置に管理中の前記価値情報の原資となる原資媒体を受け付ける遊技媒体貸出装置の遊技媒体管理方法であって、前記携帯媒体の所定操作を検出すると、前記携帯媒体の携帯媒体識別情報を取得する識別情報取得ステップと、前記原資媒体として獲得した遊技媒体を獲得遊技媒体数として計数する遊技媒体計数ステップと、前記識別情報取得ステップにて前記携帯媒体識別情報を取得し、前記管理装置に管理中の前記携帯媒体識別情報に対応する価値情報としての貯蓄遊技媒体数に、遊技に使用していない前記獲得遊技媒体数を、前記携帯媒体識別情報に紐付けて加算更新すべく、加算更新指示を前記管理装置に指示する加算更新指示ステップとを含むことを要件とする。
【００３４】
また、上記目的を達成するために本発明の遊技媒体管理方法は、特定個人毎に、遊技に使用可能な価値情報及び特定個人の携帯媒体を識別する携帯媒体識別情報を管理する管理装置に管理中の前記価値情報の原資となる原資媒体を受け付ける遊技媒体貸出装置の遊技媒体管理方法であって、前記携帯媒体の所定操作を検出すると、前記携帯媒体の携帯媒体識別情報を取得する識別情報取得ステップと、前記原資媒体として獲得した遊技媒体を獲得遊技媒体数として計数する遊技媒体計数ステップと、前記識別情報取得ステップにて前記携帯媒体識別情報を取得し、前記管理装置に管理中の前記携帯媒体識別情報に対応する価値情報としての保有遊技媒体数に、遊技に使用していない前記獲得遊技媒体数を、前記携帯媒体識別情報に紐付けて加算更新すべく、加算更新指示を前記管理装置に指示する加算更新指示ステップとを含むことを要件とする。
【００３５】
また、上記目的を達成するために本発明の遊技媒体管理方法は、特定個人毎に、遊技に使用可能な価値情報及び特定個人の携帯媒体を識別する携帯媒体識別情報を管理する管理装置に管理中の前記価値情報の原資となる原資媒体を受け付ける遊技媒体貸出装置の遊技媒体管理方法であって、前記携帯媒体の所定操作を検出すると、前記携帯媒体の携帯媒体識別情報を取得する識別情報取得ステップと、前記原資媒体を受け付ける原資媒体受付ステップと、前記原資媒体を受け付けると、その原資媒体内の有価残高を特定する有価残高特定ステップと、前記有価残高特定ステップにて特定した有価残高に基づき、前記遊技媒体を貸し出す遊技媒体貸出ステップと、前記識別情報取得ステップにて前記携帯媒体識別情報を取得し、前記管理装置に管理中の前記携帯媒体識別情報に対応する価値情報としての保有有価残高に、遊技に使用していない前記有価残高を、前記携帯媒体識別情報に紐付けて加算更新すべく、加算更新指示を前記管理装置に指示する加算更新指示ステップとを含むことを要件とする。
【発明の効果】
【００３６】
上記のように構成された本発明の遊技媒体管理システムでは、遊技媒体貸出装置側では、携帯媒体の所定操作を検出すると、前記携帯媒体の携帯媒体識別情報を取得し、管理装置に管理中の前記携帯媒体識別情報に対応する価値情報に、前記原資媒体受付部で受け付けた原資媒体、例えば、獲得遊技媒体、貨幣やプリペイドカードの内、遊技に使用していない残存価値を加算更新すべく、加算更新指示を管理装置に指示すると共に、管理装置側では、前記遊技媒体貸出装置からの前記加算更新指示に基づき、前記管理中の前記携帯媒体識別情報に対応する価値情報に、前記残存価値を加算更新する。その結果、携帯媒体の特定個人は、管理装置に管理中の携帯媒体がある場合、カウンタに赴かなくても、遊技媒体貸出装置に対する簡単な操作で、管理中の価値情報に残存価値を更新できるという効果を奏する。
【００３７】
また、本発明の遊技媒体管理システムでは、上記発明の効果に加えて、遊技媒体貸出装置側では、原資媒体として獲得した遊技媒体を獲得遊技媒体数として計数する遊技媒体計数部を備え、遊技に使用していない前記獲得遊技媒体数を、携帯媒体識別情報に紐付けて貯蓄遊技媒体数に加算更新すべく、加算更新指示を管理装置に指示すると共に、前記管理装置側では、遊技媒体貸出装置からの加算更新指示に基づき、管理中の携帯媒体識別情報に対応する貯蓄遊技媒体数に、前記獲得遊技媒体数を加算更新する。その結果、携帯媒体の特定個人は、管理装置に管理中の携帯媒体がある場合、カウンタに赴かなくても、遊技媒体貸出装置に対する簡単な操作で、管理中の貯蓄遊技媒体数に現在保有遊技媒体数を貯蓄できるという効果を奏する。
【００３８】
また、本発明の遊技媒体管理システムでは、上記発明の効果に加えて、遊技媒体貸出装置側では、原資媒体として獲得した遊技媒体を獲得遊技媒体数として計数する遊技媒体計数部を備え、遊技に使用していない獲得遊技媒体数を、携帯媒体識別情報に紐付けて保有遊技媒体数に加算更新すべく、加算更新指示を管理装置に指示すると共に、管理装置側では、遊技媒体貸出装置からの加算更新指示に基づき、管理中の携帯媒体識別情報に対応する保有遊技媒体数に、獲得遊技媒体数を加算更新する。その結果、携帯媒体の特定個人は、管理装置に管理中の携帯媒体がある場合、カウンタに赴かなくても、遊技媒体貸出装置に対する簡単な操作で、管理中の保有遊技媒体数に現在保有遊技媒体数を加算できるという効果を奏する。
【００３９】
また、本発明の遊技媒体管理システムでは、上記発明の効果に加えて、管理装置側では、価値情報として貯蓄遊技媒体数も管理し、管理中の携帯媒体識別情報に対応する保有遊技媒体数を、所定タイミングで前記携帯媒体識別情報に対応する貯蓄遊技媒体数に加算更新する。その結果、管理装置に管理中の保有遊技媒体数を、例えば、閉店処理時や翌日の開店処理時等の所定タイミングで携帯媒体識別情報に対応する貯蓄遊技媒体数に加算できるという効果を奏する。
【００４０】
また、本発明の遊技媒体管理システムでは、上記発明の効果に加えて、遊技媒体貸出装置側では、遊技に使用していない有価残高を、携帯媒体識別情報に紐付けて保有有価残高に加算更新すべく、加算更新指示を管理装置に指示すると共に、管理装置側では、遊技媒体貸出装置からの加算更新指示に基づき、管理中の携帯媒体識別情報に対応する保有有価残高に有価残高を加算更新する。その結果、携帯媒体の特定個人は、管理装置に管理中の携帯媒体がある場合、カウンタに赴かなくても、遊技媒体貸出装置に対する簡単な操作で、管理中の保有有価残高数に、現在有価残高数を更新できるという効果を奏する。
【００４１】
また、本発明の遊技媒体管理システムでは、上記発明の効果に加えて、加算更新操作を受け付けると、識別情報取得部の操作受付を有効化するようにしたので、識別情報取得部の不要な操作受付を回避できるという効果を奏する。
【００４２】
また、本発明の遊技媒体管理システムでは、上記発明の効果に加えて、前記識別情報取得部の操作受付を有効化して所定時間以内に、前記識別情報取得部を通じて前記携帯媒体識別情報を取得できなかった場合、前記遊技媒体貸出装置の動作をエラー停止する。その結果、携帯媒体の特定個人は、識別情報取得部の操作受付有効中に席を外し、特定個人である第三者の携帯媒体の所定操作による不正利用を防止できるという効果を奏する。
【００４３】
また、本発明の遊技媒体管理システムでは、上記発明の効果に加えて、遊技媒体貸出装置側の再プレイ操作を検出すると、識別情報取得部の操作受付を有効にし、操作受付有効中に、識別情報取得部に対する携帯媒体の所定操作を検出すると、識別情報取得部を通じて携帯媒体識別情報を取得し、管理装置に管理中の携帯媒体識別情報に対応する貯蓄遊技媒体数に基づき、遊技媒体を引き出すと共に、管理装置側にて遊技媒体引出部の遊技媒体引出動作に応じて、管理中の前記携帯媒体識別情報に対応する貯蓄遊技媒体数から引出分の遊技媒体数を減算更新する。その結果、携帯媒体の特定個人は、管理装置に管理中の携帯媒体がある場合、遊技媒体貸出装置に対する再プレイ操作及び携帯媒体の所定操作等の簡単な操作で、管理中の貯蓄遊技媒体から遊技媒体を引き出すことができると共に、その引出分の遊技媒体数を管理中の貯蓄遊技媒体数に反映できるという効果を奏する。
【００４４】
また、本発明の遊技媒体管理システムでは、上記発明の効果に加えて、遊技媒体貸出装置側の遊技媒体返却操作を検出すると、識別情報取得部の操作受付を有効にし、操作受付有効中に、識別情報取得部に対する携帯媒体の所定操作を検出すると、識別情報取得部を通じて携帯媒体識別情報を取得し、管理装置に管理中の携帯媒体識別情報に対応する保有遊技媒体数に基づき、遊技媒体を返却すると共に、管理装置側にて遊技媒体返却部の遊技媒体返却動作に応じて、管理中の携帯媒体識別情報に対応する保有遊技媒体数から返却分の遊技媒体数を減算更新する。その結果、携帯媒体の特定個人は、管理装置に管理中の携帯媒体がある場合、遊技媒体貸出装置に対する遊技媒体返却操作及び携帯媒体の所定操作等の簡単な操作で、例えば、手数料なしで管理中の保有遊技媒体から遊技媒体を引き出すことができると共に、その引出分の遊技媒体数を管理中の保有遊技媒体数に反映できるという効果を奏する。
【００４５】
また、本発明の遊技媒体管理システムでは、上記発明の効果に加えて、遊技媒体貸出装置側の遊技媒体貸出操作を検出すると、識別情報取得部の操作受付を有効にし、操作受付有効中に、識別情報取得部に対する携帯媒体の所定操作を検出すると、識別情報取得部を通じて携帯媒体識別情報を取得し、管理装置に管理中の携帯媒体識別情報に対応する保有有価残高数に基づき、遊技媒体を貸し出すと共に、管理装置側にて、遊技媒体貸出部の遊技媒体貸出動作に応じて、管理中の携帯媒体識別情報に対応する保有有価残高数から貸出分の有価残高数を減算更新する。その結果、携帯媒体の特定個人は、管理装置に管理中の携帯媒体がある場合、遊技媒体貸出装置に対する遊技媒体貸出操作及び携帯媒体の所定操作等の簡単な操作で、管理中の保有有価残高数に基づき遊技媒体を貸し出すことができると共に、その貸出分の遊技媒体数を管理中の保有有価残高数に反映できるという効果を奏する。
【００４６】
また、本発明の遊技媒体管理システムでは、上記発明の効果に加えて、既存の第１ユニットを置き換えることなく、この第１ユニットに、識別情報取得部及び貯蓄更新指示部を内蔵した第２ユニットを増設するダブルサンド方式であっても、携帯媒体の特定個人は、管理装置に管理中の携帯媒体がある場合、カウンタに赴かなくても、遊技媒体貸出装置に対する貯蓄更新操作及び携帯媒体の所定操作等の簡単な操作で、管理中の貯蓄遊技媒体数に現在保有遊技媒体数を貯蓄できるという効果を奏する。
【００４７】
また、上記のように構成された本発明の遊技媒体貸出装置では、原資媒体として獲得した遊技媒体を獲得遊技媒体数として計数する遊技媒体計数部を備え、遊技に使用していない獲得遊技媒体数を、携帯媒体識別情報に紐付けて貯蓄遊技媒体数に加算更新すべく、加算更新指示を管理装置に指示する。その結果、携帯媒体の特定個人は、管理装置に管理中の携帯媒体がある場合、カウンタに赴かなくても、遊技媒体貸出装置に対する簡単な操作で、管理中の貯蓄遊技媒体数に現在保有遊技媒体数を貯蓄できるという効果を奏する。
【００４８】
また、上記のように構成された本発明の遊技媒体貸出装置では、原資媒体として獲得した遊技媒体を獲得遊技媒体数として計数する遊技媒体計数部を備え、遊技に使用していない獲得遊技媒体数を、携帯媒体識別情報に紐付けて保有遊技媒体数に加算更新すべく、加算更新指示を管理装置に指示する。その結果、携帯媒体の特定個人は、管理装置に管理中の携帯媒体がある場合、カウンタに赴かなくても、遊技媒体貸出装置に対する簡単な操作で、管理中の保有遊技媒体数に現在保有遊技媒体数を加算できるという効果を奏する。
【００４９】
また、上記のように構成された本発明の遊技媒体貸出装置では、遊技に使用していない有価残高を、携帯媒体識別情報に紐付けて保有有価残高に加算更新すべく、加算更新指示を管理装置に指示する。その結果、携帯媒体の特定個人は、管理装置に管理中の携帯媒体がある場合、カウンタに赴かなくても、遊技媒体貸出装置に対する簡単な操作で、管理中の保有有価残高数に、現在有価残高数を更新できるという効果を奏する。
【００５０】
また、上記のように構成された本発明の遊技媒体管理方法では、原資媒体として獲得した遊技媒体を獲得遊技媒体数として計数する遊技媒体計数ステップを含み、遊技に使用していない獲得遊技媒体数を、携帯媒体識別情報に紐付けて貯蓄遊技媒体数に加算更新すべく、加算更新指示を管理装置に指示する。その結果、携帯媒体の特定個人は、管理装置に管理中の携帯媒体がある場合、カウンタに赴かなくても、遊技媒体貸出装置に対する簡単な操作で、管理中の貯蓄遊技媒体数に現在保有遊技媒体数を貯蓄できるという効果を奏する。
【００５１】
また、上記のように構成された本発明の遊技媒体管理方法では、原資媒体として獲得した遊技媒体を獲得遊技媒体数として計数する遊技媒体計数ステップを含み、遊技に使用していない獲得遊技媒体数を、携帯媒体識別情報に紐付けて保有遊技媒体数に加算更新すべく、加算更新指示を管理装置に指示する。その結果、携帯媒体の特定個人は、管理装置に管理中の携帯媒体がある場合、カウンタに赴かなくても、遊技媒体貸出装置に対する簡単な操作で、管理中の保有遊技媒体数に現在保有遊技媒体数を加算できるという効果を奏する。
【００５２】
また、上記のように構成された本発明の遊技媒体管理方法では、遊技に使用していない有価残高を、携帯媒体識別情報に紐付けて保有有価残高に加算更新すべく、加算更新指示を管理装置に指示する。その結果、携帯媒体の特定個人は、管理装置に管理中の携帯媒体がある場合、カウンタに赴かなくても、遊技媒体貸出装置に対する簡単な操作で、管理中の保有有価残高数に、現在有価残高数を更新できるという効果を奏する。
【発明を実施するための最良の形態】
【００５３】
以下、図面に基づき本発明の遊技媒体管理システム、遊技媒体貸出装置及び遊技媒体管理方法に関わる実施例について詳細に説明する。
【００５４】
まず、最初に本実施例の概要を説明するとすれば、その概要は、玉貸出機側の貯玉操作を検出すると、携帯用リーダライタ部の操作受付を有効にし、操作受付有効中に携帯電話機のかざし操作を検出すると、携帯用リーダライタ部を通じて携帯電話機のＩＤｍを取得し、管理装置に管理中の会員ＩＤｍに対応する貯玉残高に、現在持玉数を加算更新すべく、貯玉更新指示を管理装置に指示する。
【００５５】
更に、管理装置では、玉貸出機からの貯玉更新指示を検出すると、管理中の会員ＩＤｍに対応する貯玉残高に現在持玉数を加算更新する。
【００５６】
その結果、携帯電話会員は、カウンタに赴かなくても、玉貸出機に対する貯玉操作及び携帯電話機のかざし操作等の簡単な操作で、管理中の貯玉残高に現在持玉数を貯玉できるというものである。
【実施例１】
【００５７】
図１は、実施例１の遊技台管理システム全体の概略構成を示すブロック図である。
【００５８】
図１に示す遊技台管理システム１は、複数の遊技台１１０と、遊技台１１０毎に併設し、入金操作、カードの挿入操作や携帯電話機２のかざし操作に応じて遊技玉を貸し出す玉貸機能や、貯玉残高から持玉を引き出す再プレイ機能を有する玉貸出機３と、遊技台１１０及び玉貸出機３を配置した遊技島毎の中継機能を司る島コントローラ１２０と、景品の交換処理や在庫管理を行う景品管理機１３０と、特殊景品を払い出す景品払出機１４０と、携帯電話機２等を使用しての会員登録やオペレータ操作で貯玉登録するカード処理機１５０と、会員カードや一般カード等の現在プリペイド残額を精算するカード精算機１６０と、この遊技台管理システム１全体を管理制御する管理装置４とを有している。
【００５９】
また、遊技台管理システム１は、島コントローラ１２０、景品管理機１３０、カード処理機１５０、カード精算機１６０及び管理装置４間をＬＡＮ接続し、これら島コントローラ１２０、景品管理機１３０、カード処理機１５０、カード精算機１６０及び管理装置４間のデータ通信を実現している。
【００６０】
景品管理機１３０は、遊技店内の景品交換カウンタに配置した景品交換用の端末装置である。具体的には、景品交換カウンタ内のオペレータが、図示せぬ玉計数機から印字出力された獲得玉数の計数レシートや計数カード（一般カードや会員カード）を遊技客から受け取ると、この計数レシートから獲得玉数をバーコードリーダで読み取ると共に、この獲得玉数分の一般景品をオペレータによる手作業で遊技客に受け渡すものである。また、遊技客が特殊景品への交換を希望する場合、オペレータは、景品管理機１３０に設けた特殊景品交換ボタンを押下し、景品払出機１４０に獲得玉数分の特殊景品の払い出しを指示するものである。 
【００６１】
また、景品管理機１３０では、計数レシートや一般カードから読み取った獲得玉数の一部又は全部を会員又は携帯電話会員（仮会員）の貯玉残高に預け入れることもできる。例えば、オペレータが貯玉を希望する会員から計数レシート及び会員カードを受け取った場合、この会員カードを景品管理機１３０のカードリーダに挿入して会員ＩＤを読み取った後、貯玉操作を行って管理装置４に貯玉指示を行うものである。また、オペレータが貯玉を希望する会員又は仮会員から計数レシートや一般カードを受け取った場合、該会員又は仮会員に対して携帯用リーダライタ部１３０Ａに携帯電話機２をかざすよう指示して、該携帯電話機２から会員ＩＤｍを読み取った後、貯玉操作を行って管理装置４に貯玉更新指示を行うものである。
【００６２】
また、景品管理機１３０は、携帯用リーダライタ部１３０Ａに対する携帯電話機２のかざし操作に応じて、仮会員の携帯電話機２に紐付けした貯玉残高からの景品交換も可能である。
【００６３】
カード処理機１５０は、仮会員の携帯電話機２や会員カードによる貯玉を行う際に利用される会員用端末装置に相当し、会員カードに記録した会員ＩＤを読み取るカードリーダ部（図示せぬ）と、仮会員の携帯電話機２から会員ＩＤ（正確にはＩＤｍ）を読み取る携帯用リーダライタ部１５１とを有し、例えば、計数レシートや一般カードがなくても、携帯用リーダライタ部１３０Ａに対する携帯電話機２のかざし操作に応じて、仮会員の携帯電話機２に紐付けした貯玉残高に対して現在持玉を貯玉することも可能である。
【００６４】
図２は、管理装置４内部の概略構成を示すブロック図である。
【００６５】
図２に示す管理装置４は、ＬＡＮと通信接続する管理側通信インタフェース１１と、例えば、キーボードやマウス等の入力デバイスに相当し、各種情報を入力する入力部１２と、例えば、液晶パネルやディスプレイ等の表示デバイスに相当し、各種情報を出力する出力部１３と、例えば、ハードディスクや不揮発性メモリ等の記憶デバイスに相当し、各種情報を記憶管理する記憶管理部１４と、管理装置４全体を制御する管理側制御部１５とを有している。
【００６６】
記憶管理部１４は、会員申込用紙への記入を通じて一定の個人情報が登録された本会員、携帯電話機２を通じてＩＤｍ及び属性情報が登録された仮会員等の会員を記憶管理する会員管理データベース（以下、単にＤＢと称する）１６と、会員カードや一般カード等のカードに関わる各種情報を記憶管理するカード管理ＤＢ１７とを有している。
【００６７】
カード管理ＤＢ１７は、カードを識別するカードＩＤ毎に、現在プリペイド残額を管理するプリペイド残額ＤＢ１７Ａと、カードＩＤ毎に、遊技客が獲得した持玉を景品交換することなく、遊技店に預ける玉を示す貯玉数（貯玉残高）を管理する貯玉ＤＢ１７Ｂと、カードＩＤ毎に、遊技客が獲得した持玉数（持玉残高）を管理する持玉ＤＢ１７Ｃとを有し、カードＩＤ毎に、現在プリペイド残額、現在貯玉残高及び現在持玉残高を集中管理している。
【００６８】
図３は、管理装置４内部の会員管理ＤＢ１６のデータ内容を端的に示す説明図である。
【００６９】
図３に示す会員管理ＤＢ１６は、会員ＩＤ１６Ａ毎に、本会員や仮会員等の会員種別１６Ｂ、現在保有するプリペイド残額１６Ｃ、現在保有する持玉残高１６Ｄ、現在保有する貯玉残高１６Ｅ、属性情報１６Ｆ、会員保有の携帯電話機２のＩＤｍ１６Ｇ及び会員識別の暗証番号１６Ｈを記憶したデータベースに相当するものである。尚、属性情報１６Ｆには、電話番号、生年月日やフリーキーワード等が含まれるものである。ここで、会員種別１６Ｂを記憶した理由は、携帯電話機２を通じてＩＤｍ及び属性情報のみが登録された仮会員と、一定の個人情報が登録された本会員とを区別するものである。 
【００７０】
図２に示す管理装置４では、会員管理ＤＢ１６で会員ＩＤ１６Ａ毎に会員種別１６Ｂ、プリペイド残額１６Ｃ、持玉残高１６Ｄ、貯玉残高１６Ｅ、属性情報１６Ｆ、ＩＤｍ１６Ｇ及び暗証番号１６Ｈを集中管理している。
【００７１】
管理装置４内の管理側制御部１５は、会員管理ＤＢ１６を管理する会員管理部１８と、携帯電話機２を使用した仮会員登録を要求する仮会員登録処理部１９と、カード管理ＤＢ１７を管理するカード管理部２０とを有している。
【００７２】
会員管理部１８は、会員管理ＤＢ１６内の貯玉残高１６Ｅを管理する貯玉管理部１８Ａと、会員管理ＤＢ１６内の持玉残高１６Ｄを管理する持玉管理部１８Ｂと、会員管理ＤＢ１６内のプリペイド残額１６Ｃを管理するプリペイド管理部１８Ｃとを有している。
【００７３】
貯玉管理部１８Ａは、カード処理機１５０又は景品管理機１３０の他に、後述する玉貸出機３から貯玉加算指示（貯玉更新指示）を受け付けた場合、現在持玉を該当する貯玉口座内の貯玉残高１６Ｅに加算更新すると共に、玉貸出機３又は景品管理機１３０から貯玉減算指示（貯玉更新指示）を受け付けた場合、該当する貯玉口座内の貯玉残高１６Ｅからを減算更新するものである。 尚、貯玉減算指示は、例えば、景品管理機１３０の場合、該当する貯玉口座内の貯玉残高１６Ｅから景品相当分の玉数を減算、また、玉貸出機３の場合、再プレイ操作に応じて、該当する貯玉口座内の貯玉残高１６Ｅから引出分の玉数を減算する指示である。
【００７４】
持玉管理部１８Ｂは、後述する玉貸出機３から持玉加算指示（持玉更新指示）を受け付けた場合、該当する持玉口座内の持玉残高１６Ｄに現在持玉を加算更新すると共に、後述する玉貸出機３から持玉減算指示（持玉更新指示）を受け付けた場合、玉返却操作に応じて、該当する持玉口座内の持玉残高１６Ｄから返却分の玉数を減算更新するものである。
【００７５】
プリペイド管理部１８Ｃは、例えば、玉貸出機３から入金に応じてプリペイド登録指示を受け付けた場合、該当するプリペイド口座内のプリペイド残額１６Ｃに現在プリペイド残額を更新すると共に、玉貸出機３又はカード精算機１６０からのプリペイド減算指示を受け付けた場合、該当するプリペイド口座内のプリペイド残額１６Ｃに現在プリペイド残額を更新するものである。尚、減算指示は、例えば、玉貸出機３の場合、玉貸出操作に応じて、該当するプリペイド口座内のプリペイド残額１６Ｃから貸出分のプリペイド残額を減算、また、カード精算機１６０の場合、該当するプリペイド口座内のプリペイド残額１６Ｃを精算消去する指示等である。
【００７６】
仮会員登録処理部１９は、遊技客がカード処理機１５０の携帯用リーダライタ部１５１に対する携帯電話機２のかざし操作を検出すると、この携帯電話機２のＩＣチップ２ＡからＩＤｍを読み取り、別途入力された属性情報及び暗証番号と共に会員管理ＤＢ１６に登録するものである。
【００７７】
カード管理部２０は、カードＩＤに基づき、カード管理ＤＢ１７内のプリペイド残額ＤＢ１７Ａ、貯玉ＤＢ１７Ｂ及び持玉ＤＢ１７Ｃを紐付け管理するものである。
【００７８】
また、玉貸出機３は、カードのプリペイド残額の問い合わせや玉貸要求を実行すると共に、プリペイド残額がある場合、遊技台１１０に対して遊技玉を貸し出すものである。
【００７９】
また、玉貸出機３は、会員の会員カード挿入操作や会員の携帯電話機２のかざし操作に応じて、会員管理ＤＢ１６内に貯玉残高１６Ｅがある場合、貯玉残高１６Ｅから遊技玉を引き出す再プレイを実行するものである。
【００８０】
図４は、玉貸出機３の正面図、図５は、玉貸出機３内部の概略構成を示すブロック図である。
【００８１】
図４に示す玉貸出機３は、現金紙幣を投入する紙幣投入口３１と、会員カードや一般カード等のプリペイドカードを挿入又は返却するカード挿入口３２と、携帯電話機２内部のＩＣチップ２Ａとのデータ通信を実行する携帯用リーダライタ部３３と、各種情報を入力する操作部３４と、現在プリペイド残額を表示するプリペイド残額表示部３５と、同遊技台１１０で獲得玉数を計数し、その計数結果を現在持玉数として表示する持玉計数表示部３６と、玉貸出機３の動作状態を表示する状態表示ランプ３７とを有している。
【００８２】
携帯用リーダライタ部３３は、携帯電話機２内部のＩＣチップ２Ａに組み込まれたアンテナコイルに弱電波を送信し、この弱電波でＩＣチップ２Ａ側のアンテナコイルが発電してＩＣチップ２Ａとのデータ通信が可能となる。その結果、携帯用リーダライタ部３３は、携帯電話機２からＩＤｍを取得するものである。
【００８３】
図５に示す玉貸出機３は、携帯用リーダライタ部３３、操作部３４、プリペイド残額表示部３５、持玉計数表示部３６及び状態表示ランプ３７の他に、併設する遊技台１１０とのインタフェースを司る遊技台インタフェース３９と、ＬＡＮとの通信を司るＬＡＮインタフェース４０と、例えば、カード挿入口３２から挿入したカードの情報を読み取るカードリーダ部４１と、併設する遊技台１１０の現在獲得玉数を計数する玉計数部４２と、例えば、遊技玉の貸出、引出や返却に関わる遊技玉メカ機構４３と、玉貸出機３全体を制御する制御部４４とを有している。
【００８４】
操作部３４は、暗証番号等を入力するためのテンキー３４Ａと、プリペイド残額に基づく、遊技玉の貸出を要求する玉貸ボタン３４Ｂと、貯玉残高に基づく、遊技玉の引出を要求する再プレイボタン３４Ｃと、持玉残高に基づく、遊技玉の返却を要求する玉返却ボタン３４Ｄと、現在持玉の貯玉を要求する貯玉ボタン３４Ｅと、現在獲得玉を持玉として登録要求する持玉ボタン３４Ｆとを有している。
【００８５】
玉計数部４２は、併設する遊技台１１０の現在獲得玉数を計数し、その計数結果を島コントローラ１２０及びＬＡＮ経由で管理装置４に通知するものである。管理装置４のカード管理部２０は、現在獲得玉数の計数結果を現在持玉数としてカードＩＤに対応付けて持玉ＤＢ１７Ｃに登録管理するものである。
【００８６】
制御部４４は、操作部３４のボタン操作を監視する操作検出部５１と、携帯用リーダライタ部３３の操作受付を有効又は無効にする操作受付制御部５２と、携帯用リーダライタ部３３に対する携帯電話機２のかざし操作に応じて携帯電話機２のＩＤｍを取得するＩＤｍ取得部５３と、ＩＤｍ取得部５３にて取得したＩＤｍが管理装置４内の会員管理ＤＢ１６内の会員ＩＤｍ１６Ｇに登録済みであるか否かを判定する会員ＩＤｍ判定部５４とを有している。
【００８７】
操作受付制御部５２は、操作検出部５１を通じて玉貸ボタン３４Ｂ、再プレイボタン３４Ｃ、玉返却ボタン３４Ｄ、貯玉ボタン３４Ｅ及び持玉ボタン３４Ｆの何れかのボタン操作を検出すると、携帯用リーダライタ部３３の操作受付を有効状態にすると共に、操作受付有効中に携帯電話機２のかざし操作に応じて携帯電話機２のＩＤｍを取得すると、携帯用リーダライタ部３３の操作受付を無効状態にするものである。尚、携帯用リーダライタ部３３の有効表示部３３Ａは、操作受付制御部５２を通じて操作受付を有効状態にした場合、点灯表示すると共に、操作受付を無効状態にした場合、消灯するものである。
【００８８】
会員ＩＤｍ判定部５４は、ＩＤｍ取得部５３にて取得したＩＤｍが管理装置４内の会員管理ＤＢ１６内の会員ＩＤｍ１６Ｇに登録済みであるか否かを管理装置４に問い合わせ、その問い合わせ結果に基づき、ＩＤｍが会員ＩＤｍ１６Ｇに登録済みであるか否かを判定するものである。
【００８９】
また、制御部４４は、玉計数部４２を計数制御する玉計数制御部５５と、プリペイド残額に基づき、遊技玉の貸出を制御する玉貸制御部５６と、貯玉残高に基づき、遊技玉の引出を制御する再プレイ制御部５７と、持玉残高に基づき、遊技玉の返却を制御する玉返却制御部５８とを有している。
【００９０】
玉貸出制御部５６は、操作検出部５１を通じて玉貸ボタン３４Ｂのボタン操作を検出すると、携帯用リーダライタ部３３の操作受付を有効にし、携帯電話機２のかざし操作に応じて携帯電話機２のＩＤｍを取得し、その取得したＩＤｍが会員ＩＤｍの場合、同会員のプリペイド残額に基づき、遊技玉を貸し出すべく、遊技玉メカ機構４３を駆動制御するものである。
【００９１】
再プレイ制御部５７は、操作検出部５１を通じて再プレイボタン３４Ｃのボタン操作を検出すると、携帯用リーダライタ部３３の操作受付を有効にし、携帯電話機２のかざし操作に応じて携帯電話機２のＩＤｍを取得し、その取得したＩＤｍが会員ＩＤｍの場合、貯玉残高に基づき、遊技玉を引き出すべく、遊技玉メカ機構４３を駆動制御するものである。
【００９２】
玉返却制御部５８は、操作検出部５１を通じて玉返却ボタン３４Ｄのボタン操作を検出すると、携帯用リーダライタ部３３の操作受付を有効にし、携帯電話機２のかざし操作に応じて携帯電話機２のＩＤｍを取得し、その取得したＩＤｍが会員ＩＤｍの場合、持玉残高に基づき、遊技玉を返却すべく、遊技玉メカ機構４３を駆動制御するものである。
【００９３】
また、制御部４４は、該当する貯玉口座内の貯玉残高１６Ｅに現在持玉を貯玉すべく、管理装置４に指示する貯玉更新指示部５９と、該当する持玉口座内の持玉残高１６Ｄに現在持玉を登録すべく、管理装置４に指示する持玉更新指示部６０と、該当するプリペイド口座内のプリペイド残額１６Ｃに現在プリペイド残額を更新すべく、管理装置４に指示するプリペイド残額指示部６１とを有している。
【００９４】
貯玉更新指示部５９は、操作検出部５１を通じて貯玉ボタン３４Ｅのボタン操作を検出すると、携帯用リーダライタ部３３の操作受付を有効にし、携帯電話機２のかざし操作に応じて携帯電話機２のＩＤｍを取得し、その取得したＩＤｍが会員ＩＤｍの場合、貯玉残高に現在持玉の貯玉を指示する貯玉更新指示を管理装置４に通知するものである。
【００９５】
管理装置４側の貯玉管理部１８Ａは、ＬＡＮ経由で玉貸出機３からの貯玉更新指示を検出すると、会員管理ＤＢ１６内の該当する会員ＩＤの貯玉口座内の貯玉残高１６Ｅに現在持玉を貯玉更新するものである。尚、現在持玉とは、カード管理ＤＢ１７内の持玉ＤＢ１７Ｃ及び会員管理ＤＢ１６の持玉口座内の持玉残高１６Ｄに管理中の持玉に相当するものである。
【００９６】
また、貯玉管理部１８Ａは、貯玉残高１６Ｅに現在持玉を貯玉更新した場合、持玉ＤＢ１７Ｃ及び持玉残高１６Ｄの持玉は零になるものである。
【００９７】
また、持玉更新指示部６０は、操作検出部５１を通じて持玉ボタン３４Ｆのボタン操作を検出すると、携帯用リーダライタ部３３の操作受付を有効にし、携帯電話機２のかざし操作に応じて携帯電話機２のＩＤｍを取得し、その取得したＩＤｍが会員ＩＤｍの場合、会員管理ＤＢ１６内の持玉残高１６Ｄに現在持玉の加算更新を指示する持玉更新指示を管理装置４に通知するものである。
【００９８】
管理装置４側の持玉管理部１８Ｂは、ＬＡＮ経由で玉貸出機３からの持玉更新指示を検出すると、会員管理ＤＢ１６内の該当する会員ＩＤ１６Ａの持玉口座内の持玉残高１６Ｄに現在持玉を持玉更新するものである。尚、ここでいう、現在持玉とは、カード管理ＤＢ１７内の持玉ＤＢ１７Ｃに管理中の持玉に相当するものである。
【００９９】
また、持玉管理部１８Ｂは、持玉残高１６Ｄに現在持玉を貯玉更新した場合、持玉ＤＢ１７Ｃの持玉は零になるものである。
【０１００】
また、会員管理部１８は、会員管理ＤＢ１６内の持玉残高１６Ｄの現在持玉を所定タイミングで貯玉残高１６Ｅに加算更新するものである。尚、所定タイミングとは、例えば、遊技店の閉店処理時や翌日の開店処理時に実行するものとする。
【０１０１】
また、プリペイド残額指示部６１は、操作検出部５１を通じて貯玉ボタン３４Ｅ又は持玉ボタン３４Ｆのボタン操作を検出すると、携帯用リーダライタ部３３の操作受付を有効にし、携帯電話機２のかざし操作に応じて携帯電話機２のＩＤｍを取得し、その取得したＩＤｍが会員ＩＤｍの場合、現在プリペイド残額の残額更新指示を管理装置４に通知するものである。
【０１０２】
管理装置４側のプリペイド管理部１８Ｃは、ＬＡＮ経由で玉貸出機３からの残額更新指示を検出すると、会員管理ＤＢ１６内の該当する会員ＩＤのプリペイド口座内のプリペイド残額１６Ｃに現在プリペイド残額を更新するものである。尚、現在プリペイド残額とは、カード管理ＤＢ１７内のプリペイド残額ＤＢ１７Ａ及び会員管理ＤＢ１６内のプリペイド残額１６Ｃに管理中のプリペイド残額に相当するものである。
【０１０３】
プリペイド管理部１８Ｃは、カード管理ＤＢ１７内のプリペイド残額ＤＢ１７Ａに管理中のプリペイド残額を会員管理ＤＢ１６内のプリペイド残額１６Ｃに加算更新する場合、プリペイド残額ＤＢ１７Ａに管理中のプリペイド残額を零にするものである。
【０１０４】
また、制御部４４は、携帯用リーダライタ部３３の有効設定開始直後、監視タイマ時間内に携帯電話機２のかざし操作を検出しなかった場合、玉貸出機３をエラー停止するエラー停止制御部６２を有している。
【０１０５】
エラー停止制御部６２は、携帯用リーダライタ部３３の有効設定を開始すると、監視タイマの計時動作を開始し、監視タイマ時間内に携帯電話機２のかざし操作を検出しなかった場合、同携帯用リーダライタ部３３の操作受付を無効設定し、玉貸出機３の動作をエラー停止すると共に、エラー停止を報知すべく、状態表示ランプ３７を点滅表示するものである。尚、遊技店内の係員は、状態表示ランプ３７の点滅に基づき、その玉貸出機３のエラー停止を認識するものである。
【０１０６】
次に、実施例１の遊技台管理システム１の動作について説明する。図６は、遊技台管理システム１全体の動作概要を端的に示す動作説明図である。
【０１０７】
図６において玉貸出機３は、紙幣投入口３１への１万円札投入を検知すると（ステップＳ１１）、島コントローラ１２０及びＬＡＮ経由で１万円の入金登録を管理装置４に指示する（ステップＳ１２）。尚、管理装置４では、入金登録を検出すると、記憶管理部１４内のカード管理ＤＢ１７内のプリペイド残額ＤＢ１７Ａに同玉貸出機３内の一般カードを識別するカードＩＤに紐付けてプリペイド残額を登録することになる。
【０１０８】
その後、玉貸出機３は、玉計数部４２を通じて現在獲得玉を計数し（ステップＳ１３）、その計数した現在獲得玉を現在持玉の持玉登録を管理装置４に指示する（ステップＳ１４）。尚、管理装置４では、持玉登録を検出すると、記憶管理部１４内のカード管理ＤＢ１７内の持玉ＤＢ１７ＣにカードＩＤに紐付けて登録することになる。
【０１０９】
その後、遊技客は、遊技台１１０のプレイ終了後、現在持玉を貯玉する際、玉貸出機３の貯玉ボタン３４Ｅをボタン操作することになる。
【０１１０】
玉貸出機３は、貯玉ボタン３４Ｅのボタン操作を検出すると（ステップＳ１５）、携帯用リーダライタ部３３の操作受付を有効にし、携帯用リーダライタ部３３の有効表示部３３Ａを点灯表示する（ステップＳ１６）。尚、遊技客は、有効表示部３３Ａの点灯表示を見て、携帯用リーダライタ部３３の操作受付が有効状態であることを認識することができる。
【０１１１】
玉貸出機３は、携帯用リーダライタ部３３を通じて携帯電話機２のかざし操作を検出すると（ステップＳ１７）、持玉ＤＢ１７Ｃ内のカードＩＤに対応した現在持玉数を会員管理ＤＢ１６内の携帯電話機２のＩＤｍ１６Ｇに対応した貯玉残高１６Ｅに貯玉更新すべく、島コントローラ１２０及びＬＡＮ経由で貯玉更新指示を管理装置４に通知する（ステップＳ１８）。尚、管理装置４は、持玉ＤＢ１７Ｃ内のカードＩＤに対応した現在持玉数を会員管理ＤＢ１６内の貯玉残高１６Ｅへ貯玉更新すると共に、貯玉更新した持玉ＤＢ１７Ｃ内のカードＩＤに対応した現在持玉数は零となる。
【０１１２】
更に、玉貸出機３は、貯玉更新指示と同時に、残額更新指示を管理装置４に通知する。その結果、管理装置４は、プリペイド残額ＤＢ１７Ａ内のカードＩＤに対応した現在プリペイド残額を会員管理ＤＢ１６内のプリペイド残額１６Ｃへ更新すると共に、プリペイド残額ＤＢ１７Ａ内のカードＩＤに対応した現在プリペイド残額は零となる。
【０１１３】
そして、遊技客は、会員管理ＤＢ１６内の携帯電話機２に紐付けたプリペイド残額を精算する際、カード精算機１６０の携帯用リーダライタ部１６０Ａに対して携帯電話機２のかざし操作を実行する。
【０１１４】
次に、カード精算機１６０は、携帯用リーダライタ部１６０Ａに対して携帯電話機２のかざし操作を検出すると（ステップＳ１９）、携帯電話機２のＩＤｍ１６Ｇに対応した会員管理ＤＢ１６内のプリペイド残額１６Ｃを消去する残額更新指示をＬＡＮ経由で管理装置４に通知すると共に（ステップＳ２０）、プリペイド残額分の精算金を払出出力する（ステップＳ２１）。
【０１１５】
その後、遊技客は、会員管理ＤＢ１６内の携帯電話機２に紐付けた貯玉残高１６Ｅを景品交換する場合、カウンタに赴き、景品管理機１３０の携帯用リーダライタ部１３０Ａに対して携帯電話機２のかざし操作を実行する。
【０１１６】
景品管理機１３０は、携帯用リーダライタ部１３０Ａに対する携帯電話機２のかざし操作を検出すると（ステップＳ２２）、携帯電話機２のＩＤｍ１６Ｇに対応した会員管理ＤＢ１６内の貯玉残高１６Ｅから景品相当分の玉数を引き落とす貯玉更新指示をＬＡＮ経由で管理装置４に指示する（ステップＳ２３）。その後、景品管理機１３０のオペレータは、景品を遊技客に引き渡すことになる（ステップＳ２４）。
【０１１７】
その結果、携帯電話会員は、カウンタに赴くことなく、玉貸出機３に対して貯玉ボタン３４Ｅ及び携帯電話機２のかざし操作の簡単な操作で、携帯電話機２の会員ＩＤｍ１６Ｇに対応した貯玉残高１６Ｅに現在持玉数を貯玉すると共に、会員ＩＤｍ１６Ｇに対応したプリペイド残額１６Ｃに現在プリペイド残額を更新することができる。
【０１１８】
更に、携帯電話会員は、会員ＩＤｍ１６Ｇに対応したプリペイド残額１６Ｃに現在プリペイド残額を更新するようにしたので、カード精算機１６０の携帯用リーダライタ部１６０Ａに対して携帯電話機２をかざし操作するだけでカード精算も簡単にできる。
【０１１９】
更に、携帯電話会員は、景品管理機１３０の携帯用リーダライタ部１３０Ａに対する携帯電話機２のかざし操作するだけで景品交換も簡単にできる。
【０１２０】
次に、遊技台管理システム１の各種動作について説明する。図７は、玉貸出機３の携帯貯玉処理に関わる制御部４４の処理動作を示すフローチャートである。
【０１２１】
図７に示す携帯貯玉処理とは、玉貸出機３を通じて持玉ＤＢ１７Ｃに管理中の現在持玉を携帯電話機２の会員ＩＤｍ１６Ｇに対応する貯玉残高１６Ｅに貯玉するための処理である。
【０１２２】
図７において制御部４４内の操作受付制御部５２は、操作検出部５１を通じて貯玉ボタン３４Ｅのボタン操作を検出したか否かを判定する（ステップＳ３１）。
【０１２３】
操作受付制御部５２は、貯玉ボタン３４Ｅのボタン操作を検出した場合（ステップＳ３１肯定）、携帯用リーダライタ部３３の操作受付を有効設定する（ステップＳ３２）。尚、操作受付制御部５２は、携帯用リーダライタ部３３の操作受付を有効設定した場合、有効表示部３３Ａを点灯表示するものである。その結果、遊技客は、有効表示部３３Ａの点灯表示に基づき、操作受付有効中を認識できる。
【０１２４】
操作受付制御部５２は、携帯用リーダライタ部３３の操作受付を有効設定すると、監視タイマの計時動作を開始し（ステップＳ３３）、携帯用リーダライタ部３３に対する携帯電話機２のかざし操作を検出したか否かを判定する（ステップＳ３４）。
【０１２５】
制御部４４内のＩＤｍ取得部５３は、携帯電話機２のかざし操作を検出した場合（ステップＳ３４肯定）、携帯電話機２のＩＤｍを取得する（ステップＳ３５）。
【０１２６】
操作受付制御部５２は、携帯電話機２のＩＤｍを取得すると、有効設定中の操作受付を無効設定する（ステップＳ３６）。尚、操作受付制御部５２は、携帯用リーダライタ部３３の操作受付を無効設定した場合、有効表示部３３Ａを消灯するものである。その結果、遊技客は、有効表示部３３Ａの消灯に基づき、操作受付無効中を認識できる。
【０１２７】
制御部４４内の会員ＩＤｍ判定部５４は、操作受付無効を設定すると、ステップＳ３５にて取得したＩＤｍが会員管理ＤＢ１６内の会員ＩＤｍ１６Ｇに登録済みであるか否かを管理装置４に問い合わせる（ステップＳ３７）。尚、管理装置４内の会員管理部１８は、島コントローラ１２０及びＬＡＮ経由でＩＤｍを含む問い合わせを検出すると、同ＩＤｍが会員管理ＤＢ１６内の会員ＩＤｍ１６Ｇに登録済みであるか否かを判定するものである。
【０１２８】
会員ＩＤｍ判定部５４は、管理装置４からの問い合わせ結果に基づき、ＩＤｍが会員管理ＤＢ１６内の会員ＩＤｍ１６Ｇに登録済みであるか否かを判定する（ステップＳ３８）。
【０１２９】
制御部４４内の貯玉更新指示部５９は、ＩＤｍが会員ＩＤｍ１６Ｇに登録済みの場合（ステップＳ３８肯定）、玉貸出機３内のカードＩＤに対応した現在持玉数が持玉ＤＢ１７Ｃ内にあるか否かを島コントローラ１２０及びＬＡＮ経由で管理装置４に問い合わせる（ステップＳ３９）。尚、管理装置４内のカード管理部２０は、カードＩＤに対応した現在持玉数が持玉ＤＢ１７Ｃ内にあるか否かを判定し、その判定結果を島コントローラ１２０及びＬＡＮ経由で玉貸出機３に通知するものである。
【０１３０】
貯玉更新指示部５９は、管理装置４からの問い合わせ結果に基づき、現在持玉数が持玉ＤＢ１７Ｃ内にあるか否かを判定する（ステップＳ４０）。貯玉更新指示部５９は、現在持玉数が持玉ＤＢ１７Ｃ内にある場合（ステップＳ４０肯定）、現在持玉数の貯玉更新指示を管理装置４に指示する（ステップＳ４１）。尚、この際、同様に、プリペイド残額指示部６１は、現在プリペイド残額の残額更新指示を管理装置４に指示するものである。
【０１３１】
管理装置４の会員管理部１８内の貯玉管理部１８Ａは、貯玉更新指示を検出すると、持玉ＤＢ１７Ｃ内の該当するカードＩＤに対応した現在持玉数を会員管理ＤＢ１６内の会員ＩＤｍ１６Ｇに対応した貯玉残高１６Ｅに移動して加算更新するものである。更に、会員管理部１８内のプリペイド管理部１８Ｃは、残額更新指示を検出すると、プリペイド残額ＤＢ１７Ａ内の該当するカードＩＤに対応したプリペイド残額を会員管理ＤＢ１６内の会員ＩＤｍ１６Ｇに対応したプリペイド残額１６Ｃに更新するものである。また、貯玉管理部１８Ａは、貯玉更新が完了した場合、貯玉更新完了を玉貸出機３に通知するものである。
【０１３２】
貯玉更新指示部５９は、管理装置４からの貯玉更新完了を受信したか否かを判定する（ステップＳ４２）。貯玉更新指示部５９は、貯玉更新完了を受信した場合（ステップＳ４２肯定）、貯玉完了を表示し（ステップＳ４３）、図７に示す処理動作を終了する。
【０１３３】
また、プリペイド残額指示部６１は、現在持玉数が持玉ＤＢ１７Ｃ内にない場合（ステップＳ４０否定）、現在プリペイド残額の残額更新指示を管理装置４に指示する（ステップＳ４４）。尚、会員管理部１８内のプリペイド管理部１８Ｃは、残額更新指示を検出すると、プリペイド残額ＤＢ１７Ａ内の該当するカードＩＤに対応したプリペイド残額を会員管理ＤＢ１６内の会員ＩＤｍ１６Ｇに対応したプリペイド残額１６Ｃに更新するものである。
【０１３４】
貯玉更新指示部５９は、現在プリペイド残額の残額更新指示を管理装置４に指示した後、貯玉エラーを表示し（ステップＳ４５）、図７に示す処理動作を終了する。尚、遊技客は、貯玉エラー表示に基づき、貯玉エラーを認識できる。
【０１３５】
また、制御部４４は、貯玉ボタン３４Ｅのボタン操作を検出しなかった場合（ステップＳ３１否定）、図７に示す処理動作を終了する。
【０１３６】
また、操作受付制御部５２は、携帯電話機２のかざし操作を検出しなかった場合（ステップＳ３４否定）、ステップＳ３３にて計時動作を開始した監視タイマがタイムアップしたか否かを判定する（ステップＳ４６）。
【０１３７】
エラー停止制御部６２は、監視タイマがタイムアップした場合（ステップＳ４６肯定）、携帯用リーダライタ部３３の操作受付を無効設定（ステップＳ４７）、玉貸出機３の動作をエラー停止し（ステップＳ４８）、図７に示す処理動作を終了する。尚、エラー停止制御部６２は、玉貸出機３の動作をエラー停止した場合、状態表示ランプ３７を点滅表示するものである。その結果、遊技店内の係員は、状態表示ランプ３７の点滅表示に基づき玉貸出機３のエラー停止を認識し、その玉貸出機３の場所に赴き、特定操作に応じてエラー停止を解除するものである。
【０１３８】
また、会員ＩＤｍ判定部５４は、ＩＤｍが会員ＩＤｍに登録済みでない場合（ステップＳ３８否定）、会員エラーを表示し（ステップＳ４９）、図７に示す処理動作を終了する。尚、遊技客は、会員エラー表示に基づき、携帯電話機２のＩＤｍが会員未登録と認識することができるものである。
【０１３９】
図７に示す携帯貯玉処理では、携帯電話会員の場合、カウンタに赴かなくても、玉貸出機３に対する貯玉ボタン３４Ｅのボタン操作及び携帯電話機２のかざし操作で、会員管理ＤＢ１６内の該当する貯玉残高１６Ｅに現在持玉数を貯玉すると共に、会員管理ＤＢ１６内の該当するプリペイド残額１６Ｃに現在プリペイド残額を更新することができる。
【０１４０】
また、携帯貯玉処理では、貯玉ボタン３４Ｅのボタン操作を検出すると、携帯用リーダライタ部３３の操作受付を有効にし、監視タイマ時間内に携帯電話機２のかざし操作を検出しなかった場合、玉貸出機３をエラー停止するようにしたので、携帯電話会員は、操作受付有効中に席を外し、携帯電話会員である第三者の携帯電話機２のかざし操作による不正貯玉等を回避できる。
【０１４１】
図８は、玉貸出機３の携帯持玉処理に関わる制御部４４の処理動作を示すフローチャートである。
【０１４２】
図８に示す携帯持玉処理とは、玉貸出機３を通じて持玉ＤＢ１７Ｃに管理中の現在持玉を携帯電話機２の会員ＩＤｍ１６Ｇに対応する持玉残高１６Ｄに加算更新するための処理である。
【０１４３】
図８において制御部４４内の操作受付制御部５２は、操作検出部５１を通じて持玉ボタン３４Ｆのボタン操作を検出したか否かを判定する（ステップＳ６１）。
【０１４４】
操作受付制御部５２は、持玉ボタン３４Ｆのボタン操作を検出した場合（ステップＳ６１肯定）、携帯用リーダライタ部３３の操作受付を有効設定する（ステップＳ６２）。尚、操作受付制御部５２は、携帯用リーダライタ部３３の操作受付を有効設定した場合、有効表示部３３Ａを点灯表示するものである。その結果、遊技客は、有効表示部３３Ａの点灯表示に基づき、操作受付有効中を認識できる。
【０１４５】
操作受付制御部５２は、携帯用リーダライタ部３３の操作受付を有効設定すると、監視タイマの計時動作を開始し（ステップＳ６３）、携帯用リーダライタ部３３に対する携帯電話機２のかざし操作を検出したか否かを判定する（ステップＳ６４）。
【０１４６】
制御部４４内のＩＤｍ取得部５３は、携帯電話機２のかざし操作を検出した場合（ステップＳ６４肯定）、携帯電話機２のＩＤｍを取得する（ステップＳ６５）。
【０１４７】
操作受付制御部５２は、携帯電話機２のＩＤｍを取得すると、有効設定中の操作受付を無効設定する（ステップＳ６６）。尚、操作受付制御部５２は、携帯用リーダライタ部３３の操作受付を無効設定した場合、有効表示部３３Ａを消灯するものである。その結果、遊技客は、有効表示部３３Ａの消灯に基づき、操作受付無効中を認識できる。
【０１４８】
制御部４４内の会員ＩＤｍ判定部５４は、操作受付無効を設定すると、ステップＳ６５にて取得したＩＤｍが会員管理ＤＢ１６内の会員ＩＤｍ１６Ｇに登録済みであるか否かを管理装置４に問い合わせる（ステップＳ６７）。尚、管理装置４内の会員管理部１８は、島コントローラ１２０及びＬＡＮ経由でＩＤｍを含む問い合わせを検出すると、同ＩＤｍが会員管理ＤＢ１６内の会員ＩＤｍ１６Ｇに登録済みであるか否かを判定するものである。
【０１４９】
会員ＩＤｍ判定部５４は、管理装置４からの問い合わせ結果に基づき、ＩＤｍが会員管理ＤＢ１６内の会員ＩＤｍ１６Ｇに登録済みであるか否かを判定する（ステップＳ６８）。
【０１５０】
制御部４４内の持玉更新指示部６０は、ＩＤｍが会員ＩＤｍに登録済みの場合（ステップＳ６８肯定）、玉貸出機３内のカードＩＤに対応した現在持玉数が持玉ＤＢ１７Ｃ内にあるか否かを島コントローラ１２０及びＬＡＮ経由で管理装置４に問い合わせる（ステップＳ６９）。尚、管理装置４内のカード管理部２０は、カードＩＤに対応した現在持玉数が持玉ＤＢ１７Ｃ内にあるか否かを判定し、その判定結果を問い合せ結果として島コントローラ１２０及びＬＡＮ経由で玉貸出機３に通知するものである。
【０１５１】
持玉更新指示部６０は、管理装置４からの問い合わせ結果に基づき、現在持玉数が持玉ＤＢ１７Ｃ内にあるか否かを判定する（ステップＳ７０）。持玉更新指示部６０は、現在持玉数が持玉ＤＢ１７Ｃ内にある場合（ステップＳ７０肯定）、現在持玉数の持玉更新指示を管理装置４に指示する（ステップＳ７１）。この際、同様に、プリペイド残額指示部６１は、現在プリペイド残額の残額更新指示を管理装置４に指示するものである。
【０１５２】
管理装置４の会員管理部１８内の持玉管理部１８Ｂは、持玉更新指示を検出すると、持玉ＤＢ１７Ｃ内の該当するカードＩＤに対応した現在持玉数を会員管理ＤＢ１６内の会員ＩＤｍ１６Ｇに対応した持玉残高１６Ｄに移動して加算更新するものである。更に、会員管理部１８内のプリペイド管理部１８Ｃは、残額更新指示を検出すると、プリペイド残額ＤＢ１７Ａ内の該当するカードＩＤに対応したプリペイド残額を会員管理ＤＢ１６内の会員ＩＤｍ１６Ｇに対応したプリペイド残額１６Ｃに更新するものである。また、持玉管理部１８Ｂは、持玉更新が完了した場合、持玉更新完了を玉貸出機３に通知するものである。
【０１５３】
持玉更新指示部６０は、管理装置４からの持玉更新完了を受信したか否かを判定する（ステップＳ７２）。持玉更新指示部６０は、持玉更新完了を受信した場合（ステップＳ７２肯定）、持玉完了を表示し（ステップＳ７３）、図８に示す処理動作を終了する。
【０１５４】
また、プリペイド残額指示部６１は、現在持玉数が持玉ＤＢ１７Ｃ内にない場合（ステップＳ７０否定）、現在プリペイド残額の残額更新指示を管理装置４に指示する（ステップＳ７４）。尚、会員管理部１８内のプリペイド管理部１８Ｃは、残額更新指示を検出すると、プリペイド残額ＤＢ１７Ａ内の該当するカードＩＤに対応したプリペイド残額を会員管理ＤＢ１６内の会員ＩＤｍ１６Ｇに対応したプリペイド残額１６Ｃに更新するものである。
【０１５５】
持玉更新指示部６０は、現在プリペイド残額の残額更新指示を管理装置４に指示した後、持玉エラーを表示し（ステップＳ７５）、図８に示す処理動作を終了する。尚、遊技客は、持玉エラー表示に基づき、持玉エラーを認識できる。
【０１５６】
また、制御部４４は、持玉ボタン３４Ｆのボタン操作を検出しなかった場合（ステップＳ６１否定）、図８に示す処理動作を終了する。
【０１５７】
また、操作受付制御部５２は、携帯電話機２のかざし操作を検出しなかった場合（ステップＳ６４否定）、ステップＳ６３にて計時動作を開始した監視タイマがタイムアップしたか否かを判定する（ステップＳ７６）。
【０１５８】
エラー停止制御部６２は、監視タイマがタイムアップした場合（ステップＳ７６肯定）、携帯用リーダライタ部３３の操作受付を無効設定（ステップＳ７７）、玉貸出機３の動作をエラー停止し（ステップＳ７８）、図８に示す処理動作を終了する。尚、エラー停止制御部６２は、玉貸出機３の動作をエラー停止した場合、状態表示ランプ３７を点滅表示するものである。その結果、遊技店内の係員は、状態表示ランプ３７の点滅表示に基づき玉貸出機３のエラー停止を認識し、その玉貸出機３の場所に赴き、特定操作に応じてエラー停止を解除するものである。
【０１５９】
また、会員ＩＤｍ判定部５４は、ＩＤｍが会員ＩＤｍ１６Ｇに登録済みでない場合（ステップＳ６８否定）、会員エラーを表示し（ステップＳ７９）、図８に示す処理動作を終了する。尚、遊技客は、会員エラー表示に基づき、携帯電話機２のＩＤｍが会員未登録と認識することができるものである。
【０１６０】
図８に示す携帯持玉処理では、携帯電話会員の場合、カウンタに赴かなくても、玉貸出機３に対する持玉ボタン３４Ｆのボタン操作及び携帯電話機２のかざし操作で、会員管理ＤＢ１６内の該当する持玉残高１６Ｄに現在持玉数を貯玉すると共に、会員管理ＤＢ１６内の該当するプリペイド残額１６Ｃに現在プリペイド残額を更新することができる。
【０１６１】
また、携帯持玉処理では、持玉ボタン３４Ｆのボタン操作を検出すると、携帯用リーダライタ部３３の操作受付を有効にし、監視タイマ時間内に携帯電話機２のかざし操作を検出しなかった場合、玉貸出機３をエラー停止するようにしたので、携帯電話会員は、操作受付有効中に席を外し、携帯電話会員である第三者の携帯電話機２のかざし操作による不正持玉等を回避できる。
【０１６２】
図９は、玉貸出機３の携帯玉貸処理に関わる制御部４４の処理動作を示すフローチャートである。
【０１６３】
図９に示す携帯玉貸処理とは、携帯電話機２の会員ＩＤｍ１６Ｇに対応したプリペイド残額１６Ｃに基づき、携帯電話機２のかざし操作に応じて遊技玉を貸し出す処理である。
【０１６４】
図９において制御部４４内の操作受付制御部５２は、操作検出部５１を通じて玉貸ボタン３４Ｂのボタン操作を検出したか否かを判定する（ステップＳ９１）。
【０１６５】
操作受付制御部５２は、玉貸ボタン３４Ｂのボタン操作を検出した場合（ステップＳ９１肯定）、携帯用リーダライタ部３３の操作受付を有効設定する（ステップＳ９２）。尚、操作受付制御部５２は、携帯用リーダライタ部３３の操作受付を有効設定した場合、有効表示部３３Ａを点灯表示するものである。その結果、遊技客は、有効表示部３３Ａの点灯表示に基づき、操作受付有効中を認識できる。
【０１６６】
操作受付制御部５２は、携帯用リーダライタ部３３の操作受付を有効設定すると、監視タイマの計時動作を開始し（ステップＳ９３）、携帯用リーダライタ部３３に対する携帯電話機２のかざし操作を検出したか否かを判定する（ステップＳ９４）。
【０１６７】
制御部４４内のＩＤｍ取得部５３は、携帯電話機２のかざし操作を検出した場合（ステップＳ９４肯定）、携帯電話機２のＩＤｍを取得する（ステップＳ９５）。
【０１６８】
操作受付制御部５２は、携帯電話機２のＩＤｍを取得すると、有効設定中の操作受付を無効設定する（ステップＳ９６）。尚、操作受付制御部５２は、携帯用リーダライタ部３３の操作受付を無効設定した場合、有効表示部３３Ａを消灯するものである。その結果、遊技客は、有効表示部３３Ａの消灯に基づき、操作受付無効中を認識できる。
【０１６９】
制御部４４内の会員ＩＤｍ判定部５４は、操作受付無効を設定すると、ステップＳ９５にて取得したＩＤｍが会員管理ＤＢ１６内の会員ＩＤｍ１６Ｇに登録済みであるか否かを管理装置４に問い合わせる（ステップＳ９７）。尚、管理装置４内の会員管理部１８は、島コントローラ１２０及びＬＡＮ経由でＩＤｍを含む問い合わせを検出すると、同ＩＤｍが会員管理ＤＢ１６内の会員ＩＤｍ１６Ｇに登録済みであるか否かを判定するものである。
【０１７０】
会員ＩＤｍ判定部５４は、管理装置４からの問い合わせ結果に基づき、ＩＤｍが会員管理ＤＢ１６内の会員ＩＤｍ１６Ｇに登録済みであるか否かを判定する（ステップＳ９８）。
【０１７１】
制御部４４内の玉貸制御部５６は、ＩＤｍが会員ＩＤｍ１６Ｇに登録済みの場合（ステップＳ９８肯定）、会員管理ＤＢ１６内の会員ＩＤｍ１６Ｇに対応したプリペイド残額１６Ｃがあるか否かを島コントローラ１２０及びＬＡＮ経由で管理装置４に問い合わせる（ステップＳ９９）。尚、管理装置４内のプリペイド管理部１８Ｃは、会員ＩＤｍ１６Ｇに対応した現在プリペイド残額１６Ｃがあるか否かを判定し、その判定結果を問い合せ結果として島コントローラ１２０及びＬＡＮ経由で玉貸出機３に通知するものである。
【０１７２】
玉貸制御部５６は、管理装置４からの問い合わせ結果に基づき、会員ＩＤｍ１６Ｇに対応したプリペイド残額１６Ｃがあるか否かを判定する（ステップＳ１００）。玉貸制御部５６は、現在プリペイド残額１６Ｃがある場合（ステップＳ１００肯定）、現在プリペイド残額の残額更新指示を管理装置４に指示する（ステップＳ１０１）。尚、管理装置４の会員管理部１８内のプリペイド管理部１８Ｃは、残額更新指示を検出すると、現在プリペイド残額から玉貸分の料金を減算更新するのである。また、プリペイド管理部１８Ｃは、残額更新が完了した場合、残額更新完了を玉貸出機３に通知するものである。
【０１７３】
玉貸制御部５６は、管理装置４からの残額更新完了を受信したか否かを判定する（ステップＳ１０２）。玉貸制御部５６は、残額更新完了を受信した場合（ステップＳ１０２肯定）、遊技玉メカ機構４３を通じて遊技玉を貸し出し（ステップＳ１０３）、図９に示す処理動作を終了する。
【０１７４】
また、玉貸制御部５６は、現在プリペイド残額１６Ｃがない場合（ステップＳ１００否定）、玉貸エラーを表示し（ステップＳ１０４）、図９に示す処理動作を終了する。尚、遊技客は、玉貸エラー表示に基づき、玉貸エラーを認識できる。
【０１７５】
また、制御部４４は、玉貸ボタン３４Ｂのボタン操作を検出しなかった場合（ステップＳ９１否定）、図９に示す処理動作を終了する。
【０１７６】
また、操作受付制御部５２は、携帯電話機２のかざし操作を検出しなかった場合（ステップＳ９４否定）、ステップＳ９３にて計時動作を開始した監視タイマがタイムアップしたか否かを判定する（ステップＳ１０５）。
【０１７７】
エラー停止制御部６２は、監視タイマがタイムアップした場合（ステップＳ１０５肯定）、携帯用リーダライタ部３３の操作受付を無効設定（ステップＳ１０６）、玉貸出機３の動作をエラー停止し（ステップＳ１０７）、図９に示す処理動作を終了する。尚、エラー停止制御部６２は、玉貸出機３の動作をエラー停止した場合、状態表示ランプ３７を点滅表示するものである。その結果、遊技店内の係員は、状態表示ランプ３７の点滅表示に基づき玉貸出機３のエラー停止を認識し、その玉貸出機３の場所に赴き、特定操作に応じてエラー停止を解除するものである。
【０１７８】
また、会員ＩＤｍ判定部５４は、ＩＤｍが会員ＩＤｍ１６Ｇに登録済みでない場合（ステップＳ９８否定）、会員エラーを表示し（ステップＳ１０８）、図９に示す処理動作を終了する。尚、遊技客は、会員エラー表示に基づき、携帯電話機２のＩＤｍが会員未登録と認識することができるものである。
【０１７９】
図９に示す携帯玉貸処理では、携帯電話会員の場合、玉貸出機３に対する玉貸ボタン３４Ｂのボタン操作及び携帯電話機２のかざし操作で、会員管理ＤＢ１６内の該当するプリペイド残額１６Ｃに基づき、遊技玉を得ることができる。
【０１８０】
また、携帯玉貸処理では、玉貸ボタン３４Ｂのボタン操作を検出すると、携帯用リーダライタ部３３の操作受付を有効にし、監視タイマ時間内に携帯電話機２のかざし操作を検出しなかった場合、玉貸出機３をエラー停止するようにしたので、携帯電話会員は、操作受付有効中に席を外し、携帯電話会員である第三者の携帯電話機２のかざし操作による遊技玉の不正取得等を回避できる。
【０１８１】
図１０は、玉貸出機３の携帯再プレイ処理に関わる制御部４４の処理動作を示すフローチャートである。
【０１８２】
図１０に示す携帯再プレイ処理とは、携帯電話機２の会員ＩＤｍ１６Ｇに対応した貯玉残高１６Ｅに基づき、携帯電話機２のかざし操作に応じて遊技玉を引き出す処理である。
【０１８３】
図１０において制御部４４内の操作受付制御部５２は、操作検出部５１を通じて再プレイボタン３４Ｃのボタン操作を検出したか否かを判定する（ステップＳ１１１）。
【０１８４】
操作受付制御部５２は、再プレイボタン３４Ｃのボタン操作を検出した場合（ステップＳ１１１肯定）、携帯用リーダライタ部３３の操作受付を有効設定する（ステップＳ１１２）。尚、操作受付制御部５２は、携帯用リーダライタ部３３の操作受付を有効設定した場合、有効表示部３３Ａを点灯表示するものである。その結果、遊技客は、有効表示部３３Ａの点灯表示に基づき、操作受付有効中を認識できる。
【０１８５】
操作受付制御部５２は、携帯用リーダライタ部３３の操作受付を有効設定すると、監視タイマの計時動作を開始し（ステップＳ１１３）、携帯用リーダライタ部３３に対する携帯電話機２のかざし操作を検出したか否かを判定する（ステップＳ１１４）。
【０１８６】
制御部４４内のＩＤｍ取得部５３は、携帯電話機２のかざし操作を検出した場合（ステップＳ１１４肯定）、携帯電話機２のＩＤｍを取得する（ステップＳ１１５）。
【０１８７】
操作受付制御部５２は、携帯電話機２のＩＤｍを取得すると、有効設定中の操作受付を無効設定する（ステップＳ１１６）。尚、操作受付制御部５２は、携帯用リーダライタ部３３の操作受付を無効設定した場合、有効表示部３３Ａを消灯するものである。その結果、遊技客は、有効表示部３３Ａの消灯に基づき、操作受付無効中を認識できる。
【０１８８】
制御部４４内の会員ＩＤｍ判定部５４は、操作受付無効を設定すると、ステップＳ１１５にて取得したＩＤｍが会員管理ＤＢ１６内の会員ＩＤｍ１６Ｇに登録済みであるか否かを管理装置４に問い合わせる（ステップＳ１１７）。尚、管理装置４内の会員管理部１８は、島コントローラ１２０及びＬＡＮ経由でＩＤｍを含む問い合わせを検出すると、同ＩＤｍが会員管理ＤＢ１６内の会員ＩＤｍ１６Ｇに登録済みであるか否かを判定するものである。
【０１８９】
会員ＩＤｍ判定部５４は、管理装置４からの問い合わせ結果に基づき、ＩＤｍが会員管理ＤＢ１６内の会員ＩＤｍ１６Ｇに登録済みであるか否かを判定する（ステップＳ１１８）。
【０１９０】
制御部４４内の再プレイ制御部５７は、ＩＤｍが会員ＩＤｍ１６Ｇに登録済みの場合（ステップＳ１１８肯定）、会員管理ＤＢ１６内の会員ＩＤｍ１６Ｇに対応した貯玉残高１６Ｅがあるか否かを島コントローラ１２０及びＬＡＮ経由で管理装置４に問い合わせる（ステップＳ１１９）。尚、管理装置４内の貯玉管理部１８Ａは、会員ＩＤｍ１６Ｇに対応した貯玉残高１６Ｅがあるか否かを判定し、その判定結果を問い合せ結果として島コントローラ１２０及びＬＡＮ経由で玉貸出機３に通知するものである。
【０１９１】
再プレイ制御部５７は、管理装置４からの問い合わせ結果に基づき、会員ＩＤｍ１６Ｇに対応した貯玉残高１６Ｅがあるか否かを判定する（ステップＳ１２０）。再プレイ制御部５７は、貯玉残高１６Ｅがある場合（ステップＳ１２０肯定）、現在貯玉残高の貯玉更新指示を管理装置４に指示する（ステップＳ１２１）。尚、管理装置４の会員管理部１８内の貯玉管理部１８Ａは、貯玉更新指示を検出すると、現在貯玉残高から引出玉数を減算更新するものである。また、貯玉管理部１８Ａは、貯玉更新が完了した場合、貯玉更新完了を玉貸出機３に通知するものである。
【０１９２】
再プレイ制御部５７は、管理装置４からの貯玉更新完了を受信したか否かを判定する（ステップＳ１２２）。再プレイ制御部５７は、貯玉更新完了を受信した場合（ステップＳ１２２肯定）、遊技玉メカ機構４３を通じて遊技玉を引き出し（ステップＳ１２３）、図１０に示す処理動作を終了する。
【０１９３】
また、再プレイ制御部５７は、貯玉残高１６Ｅがない場合（ステップＳ１２０否定）、再プレイエラーを表示し（ステップＳ１２４）、図１０に示す処理動作を終了する。尚、遊技客は、再プレイエラー表示に基づき、再プレイエラーを認識できる。
【０１９４】
また、制御部４４は、再プレイボタン３４Ｃのボタン操作を検出しなかった場合（ステップＳ１１１否定）、図１０に示す処理動作を終了する。
【０１９５】
また、操作受付制御部５２は、携帯電話機２のかざし操作を検出しなかった場合（ステップＳ１１４否定）、ステップＳ１１３にて計時動作を開始した監視タイマがタイムアップしたか否かを判定する（ステップＳ１２５）。
【０１９６】
エラー停止制御部６２は、監視タイマがタイムアップした場合（ステップＳ１２５肯定）、携帯用リーダライタ部３３の操作受付を無効設定（ステップＳ１２６）、玉貸出機３の動作をエラー停止し（ステップＳ１２７）、図１０に示す処理動作を終了する。尚、エラー停止制御部６２は、玉貸出機３の動作をエラー停止した場合、状態表示ランプ３７を点滅表示するものである。その結果、遊技店内の係員は、状態表示ランプ３７の点滅表示に基づき、玉貸出機３のエラー停止を認識し、その玉貸出機３の場所に赴き、特定操作に応じてエラー停止を解除するものである。
【０１９７】
また、会員ＩＤｍ判定部５４は、ＩＤｍが会員ＩＤｍ１６Ｇに登録済みでない場合（ステップＳ１１８否定）、会員エラーを表示し（ステップＳ１２８）、図１０に示す処理動作を終了する。尚、遊技客は、会員エラー表示に基づき、携帯電話機２のＩＤｍが会員未登録と認識することができるものである。
【０１９８】
図１０に示す携帯再プレイ処理では、携帯電話会員の場合、玉貸出機３に対する再プレイボタン３４Ｃのボタン操作及び携帯電話機２のかざし操作で、会員管理ＤＢ１６内の該当する貯玉残高１６Ｅから遊技玉を引き出すことができる。
【０１９９】
また、携帯再プレイ処理では、再プレイボタン３４Ｃのボタン操作を検出すると、携帯用リーダライタ部３３の操作受付を有効にし、監視タイマ時間内に携帯電話機２のかざし操作を検出しなかった場合、玉貸出機３をエラー停止するようにしたので、携帯電話会員は、操作受付有効中に席を外し、携帯電話会員である第三者の携帯電話機２のかざし操作による遊技玉の不正引出等を防止できる。
【０２００】
図１１は、玉貸出機３の携帯持玉返却処理に関わる制御部４４の処理動作を示すフローチャートである。
【０２０１】
図１１に示す携帯持玉返却処理とは、携帯電話機２の会員ＩＤｍ１６Ｇに対応した持玉残高１６Ｄに基づき、携帯電話機２のかざし操作に応じて遊技玉を手数料なしで引き出す処理である。
【０２０２】
図１１において制御部４４内の操作受付制御部５２は、操作検出部５１を通じて玉返却ボタン３４Ｄのボタン操作を検出したか否かを判定する（ステップＳ１３１）。
【０２０３】
操作受付制御部５２は、玉返却ボタン３４Ｄのボタン操作を検出した場合（ステップＳ１３１肯定）、携帯用リーダライタ部３３の操作受付を有効設定する（ステップＳ１３２）。尚、操作受付制御部５２は、携帯用リーダライタ部３３の操作受付を有効設定した場合、有効表示部３３Ａを点灯表示するものである。その結果、遊技客は、有効表示部３３Ａの点灯表示に基づき、操作受付有効中を認識できる。
【０２０４】
操作受付制御部５２は、携帯用リーダライタ部３３の操作受付を有効設定すると、監視タイマの計時動作を開始し（ステップＳ１３３）、携帯用リーダライタ部３３に対する携帯電話機２のかざし操作を検出したか否かを判定する（ステップＳ１３４）。
【０２０５】
制御部４４内のＩＤｍ取得部５３は、携帯電話機２のかざし操作を検出した場合（ステップＳ１３４肯定）、携帯電話機２のＩＤｍを取得する（ステップＳ１３５）。
【０２０６】
操作受付制御部５２は、携帯電話機２のＩＤｍを取得すると、有効設定中の操作受付を無効設定する（ステップＳ１３６）。尚、操作受付制御部５２は、携帯用リーダライタ部３３の操作受付を無効設定した場合、有効表示部３３Ａを消灯するものである。その結果、遊技客は、有効表示部３３Ａの消灯に基づき、操作受付無効中を認識できる。
【０２０７】
制御部４４内の会員ＩＤｍ判定部５４は、操作受付無効を設定すると、ステップＳ１３５にて取得したＩＤｍが会員管理ＤＢ１６内の会員ＩＤｍ１６Ｇに登録済みであるか否かを管理装置４に問い合わせる（ステップＳ１３７）。尚、管理装置４内の会員管理部１８は、島コントローラ１２０及びＬＡＮ経由でＩＤｍを含む問い合わせを検出すると、同ＩＤｍが会員管理ＤＢ１６内の会員ＩＤｍ１６Ｇに登録済みであるか否かを判定するものである。
【０２０８】
会員ＩＤｍ判定部５４は、管理装置４からの問い合わせ結果に基づき、ＩＤｍが会員管理ＤＢ１６内の会員ＩＤｍ１６Ｇに登録済みであるか否かを判定する（ステップＳ１３８）。
【０２０９】
制御部４４内の玉返却制御部５８は、ＩＤｍが会員ＩＤｍ１６Ｇに登録済みの場合（ステップＳ１３８肯定）、会員管理ＤＢ１６内の会員ＩＤｍ１６Ｇに対応した持玉残高１６Ｄがあるか否かを島コントローラ１２０及びＬＡＮ経由で管理装置４に問い合わせる（ステップＳ１３９）。尚、管理装置４内の貯玉管理部１８Ａは、会員ＩＤｍ１６Ｇに対応した持玉残高１６Ｄがあるか否かを判定し、その判定結果を問い合せ結果として島コントローラ１２０及びＬＡＮ経由で玉貸出機３に通知するものである。
【０２１０】
玉返却制御部５８は、管理装置４からの問い合わせ結果に基づき、会員ＩＤｍ１６Ｇに対応した持玉残高１６Ｄがあるか否かを判定する（ステップＳ１４０）。玉返却制御部５８は、持玉残高１６Ｄがある場合（ステップＳ１４０肯定）、現在持玉残高１６Ｄの持玉更新指示を管理装置４に指示する（ステップＳ１４１）。尚、管理装置４の会員管理部１８内の持玉管理部１８Ｂは、持玉更新指示を検出すると、現在持玉残高から返却玉数を減算更新するのである。また、持玉管理部１８Ｂは、持玉更新が完了した場合、持玉更新完了を玉貸出機３に通知するものである。
【０２１１】
玉返却制御部５８は、管理装置４からの持玉更新完了を受信したか否かを判定する（ステップＳ１４２）。玉返却制御部５８は、持玉更新完了を受信した場合（ステップＳ１４２肯定）、遊技玉メカ機構４３を通じて遊技玉を返却し（ステップＳ１４３）、図１１に示す処理動作を終了する。
【０２１２】
また、玉返却制御部５８は、貯玉残高１６Ｅがない場合（ステップＳ１４０否定）、玉返却エラーを表示し（ステップＳ１４４）、図１１に示す処理動作を終了する。尚、遊技客は、玉返却エラー表示に基づき、玉返却エラーを認識できる。
【０２１３】
また、制御部４４は、玉返却ボタン３４Ｄのボタン操作を検出しなかった場合（ステップＳ１３１否定）、図１１に示す処理動作を終了する。
【０２１４】
また、操作受付制御部５２は、携帯電話機２のかざし操作を検出しなかった場合（ステップＳ１３４否定）、ステップＳ１３３にて計時動作を開始した監視タイマがタイムアップしたか否かを判定する（ステップＳ１４５）。
【０２１５】
エラー停止制御部６２は、監視タイマがタイムアップした場合（ステップＳ１４５肯定）、携帯用リーダライタ部３３の操作受付を無効設定（ステップＳ１４６）、玉貸出機３の動作をエラー停止し（ステップＳ１４７）、図１１に示す処理動作を終了する。尚、エラー停止制御部６２は、玉貸出機３の動作をエラー停止した場合、状態表示ランプ３７を点滅表示するものである。その結果、遊技店内の係員は、状態表示ランプ３７の点滅表示に基づき玉貸出機３のエラー停止を認識し、その玉貸出機３の場所に赴き、特定操作に応じてエラー停止を解除するものである。
【０２１６】
また、会員ＩＤｍ判定部５４は、ＩＤｍが会員ＩＤｍ１６Ｇに登録済みでない場合（ステップＳ１３８否定）、会員エラーを表示し（ステップＳ１４８）、図１１に示す処理動作を終了する。尚、遊技客は、会員エラー表示に基づき、携帯電話機２のＩＤｍが会員未登録と認識することができるものである。
【０２１７】
図１１に示す携帯持玉返却処理では、携帯電話会員の場合、玉貸出機３に対する玉返却ボタン３４Ｄのボタン操作及び携帯電話機２のかざし操作で、会員管理ＤＢ１６内の該当する持玉残高１６Ｄから遊技玉を手数料なしで引き出すことができる。
【０２１８】
また、携帯持玉返却処理では、玉返却ボタン３４Ｄのボタン操作を検出すると、携帯用リーダライタ部３３の操作受付を有効にし、監視タイマ時間内に携帯電話機２のかざし操作を検出しなかった場合、玉貸出機３をエラー停止するようにしたので、携帯電話会員は、操作受付有効中に席を外し、携帯電話会員である第三者の携帯電話機２のかざし操作による遊技玉の不正返却等を回避できる。
【０２１９】
実施例１では、玉貸出機３側の貯玉ボタン３４Ｅのボタン操作を検出すると、携帯用リーダライタ部３３の操作受付を有効にし、操作受付有効中に、携帯電話機２のかざし操作を検出すると、携帯電話機２のＩＤｍを取得し、管理装置４に管理中の会員ＩＤｍ１６Ｇに対応する貯玉残高１６Ｅに、現在持玉を加算更新すべく、貯玉更新指示を管理装置４に指示すると共に、管理装置４側では、玉貸出機３からの貯玉更新指示を検出すると、管理中の会員ＩＤｍ１６Ｇに対応する貯玉残高１６Ｅに現在持玉を加算更新する。その結果、携帯電話会員は、カウンタに赴かなくても、玉貸出機３に対する貯玉ボタン３４Ｅ及び携帯電話機２のかざし操作で、管理中の貯玉残高１６Ｅに現在持玉を貯玉できる。
【０２２０】
また、実施例１では、玉貸出機３側の持玉ボタン３４Ｆのボタン操作を検出すると、携帯用リーダライタ部３３の操作受付を有効にし、操作受付有効中に、携帯電話機２のかざし操作を検出すると、携帯電話機２のＩＤｍを取得し、管理装置４に管理中の会員ＩＤｍ１６Ｇに対応する持玉残高１６Ｄに、現在持玉を加算更新すべく、持玉更新指示を管理装置４に指示すると共に、管理装置４側では、玉貸出機３からの持玉更新指示に基づき、管理中の会員ＩＤｍ１６Ｇに対応する持玉残高１６Ｄに、現在持玉を加算更新する。その結果、携帯電話会員は、カウンタに赴かなくても、玉貸出機３に対する持玉ボタン３４Ｆ及び携帯電話機２のかざし操作で、管理中の持玉残高１６Ｄに現在持玉を加算できる。
【０２２１】
また、実施例１では、玉貸出機３側の携帯用リーダライタ部３３の操作受付有効中に、携帯用リーダライタ部３３に対する携帯電話機２のかざし操作を検出すると、携帯電話機２のＩＤｍを取得し、管理装置４に管理中の会員ＩＤｍ１６Ｇに対応するプリペイド残額１６Ｃに、現在プリペイド残額を更新すべく、残額更新指示を管理装置４に指示すると共に、管理装置４側では、玉貸出機３からの残額更新指示に基づき、管理中の会員ＩＤｍ１６Ｇに対応する現在プリペイド残額１６Ｃに、現在プリペイド残額を更新する。その結果、携帯電話会員は、カウンタに赴かなくても、玉貸出機３に対する携帯電話機２のかざし操作及び、貯玉ボタン３４Ｅ（又は持玉ボタン３４Ｆ）のボタン操作で、管理中の現在プリペイド残額１６Ｃに、現在プリペイド残額を更新できる。
【０２２２】
また、実施例１では、携帯用リーダライタ部３３の操作受付有効を開始すると、有効表示部３３Ａを点灯表示するようにしたので、携帯電話会員は、その有効表示部３３Ａの点灯表示に基づき、携帯用リーダライタ部３３の操作受付有効中を認識できる。
【０２２３】
また、実施例１では、携帯用リーダライタ部３３の操作受付有効開始直後、所定時間内に携帯電話機２のかざし操作を検出しなかった場合、玉貸出機３の動作をエラー停止する。その結果、携帯電話会員は、携帯用リーダライタ部３３の操作受付有効中に席を外し、携帯電話会員である第三者の携帯電話機２のかざし操作による不正利用を回避できる。
【０２２４】
また、実施例１では、玉貸出機３側の再プレイボタン３４Ｃのボタン操作を検出すると、携帯用リーダライタ部３３の操作受付を有効にし、操作受付有効中に、携帯用リーダライタ部３３に対する携帯電話機２のかざし操作を検出すると、携帯電話機２のＩＤｍを取得し、管理装置４に管理中の会員ＩＤｍ１６Ｇに対応する貯玉残高１６Ｅに基づき、遊技玉を引き出すと共に、管理装置４側にて再プレイ制御部５７及び遊技玉メカ機構４３の遊技玉引出動作に応じて、管理中の会員ＩＤｍ１６Ｇに対応する貯玉残高１６Ｅから引出分の遊技玉数を減算更新する。その結果、携帯電話会員は、玉貸出機３に対する再プレイボタン３４Ｃのボタン操作及び携帯電話機２のかざし操作で、管理中の貯玉残高１６Ｅから遊技玉を引き出すことができると共に、その引出分の遊技玉を管理中の貯玉残高１６Ｅに反映できる。
【０２２５】
また、実施例１では、玉貸出機３側の玉貸ボタン３４Ｂのボタン操作を検出すると、携帯用リーダライタ部３３の操作受付を有効にし、操作受付有効中に、携帯用リーダライタ部３３に対する携帯電話機２のかざし操作を検出すると、携帯電話機２のＩＤｍを取得し、管理装置４に管理中の会員ＩＤｍ１６Ｇに対応するプリペイド残額１６Ｃに基づき、遊技玉を貸し出すと共に、管理装置４側にて、玉貸制御部５６及び遊技玉メカ機構４３の遊技玉貸出動作に応じて、管理中の会員ＩＤｍ１６Ｇに対応するプリペイド残額１６Ｃから貸出分のプリペイド残額を減算更新する。その結果、携帯電話会員は、玉貸出機３に対する玉貸ボタン３４Ｂのボタン操作及び携帯電話機２のかざし操作で、プリペイド残額に基づき遊技玉を貸し出すことができると共に、その貸出分を管理中のプリペイド残額１６Ｃに反映できる。
【０２２６】
また、実施例１では、玉貸出機３側の玉返却ボタン３４Ｄのボタン操作を検出すると、携帯用リーダライタ部３３の操作受付を有効にし、操作受付有効中に、携帯用リーダライタ部３３に対する携帯電話機２のかざし操作を検出すると、携帯電話機２のＩＤｍを取得し、管理装置４に管理中の会員ＩＤｍ１６Ｇに対応する持玉残高１６Ｄに基づき、手数料なしで、遊技玉を引き出すと共に、管理装置４側にて玉返却制御部５８及び遊技玉メカ機構４３の遊技玉返却動作に応じて、管理中の会員ＩＤｍ１６Ｇに対応する持玉残高１６Ｄから返却分の遊技玉数を減算更新する。その結果、携帯電話会員は、玉貸出機３に対する玉返却ボタン３４Ｄのボタン操作及び携帯電話機２のかざし操作で、例えば、手数料なしで管理中の持玉残高１６Ｄから遊技玉を引き出すことができると共に、その引出分を管理中の持玉残高１６Ｄに反映できる。
【０２２７】
尚、実施例１では、一体型の玉貸出機３を例に挙げて説明したが、既存のＣＲユニットに、玉計数機能を内蔵した計数ユニットを増設したダブルサンド方式の玉貸出機３においても適用可能であって、この場合の実施例につき、実施例２として説明する。
【実施例２】
【０２２８】
図１２は、実施例２の玉貸出機の正面図である。尚、実施例１の遊技台管理システム１と同一の構成については同一符号を付すことで、その重複する構成及び動作の説明については省略する。
【０２２９】
図１２に示す玉貸出機３Ａは、既存のＣＲユニット７０と、玉計数機能を内蔵した計数ユニット８０とのダブルサンド方式で構成し、ＣＲユニット７０は、紙幣を投入する紙幣投入口７１と、プリペイド残額を表示するプリペイド残額表示部７２と、テンキー７３Ａ及び再プレイボタン７３Ｂを備えた操作部７３と、会員カードや一般カードを挿入又は排出するカード挿入口７４と、ＣＲユニット７０の動作状態を表示するＣＲ状態表示ランプ７５とを有している。
【０２３０】
また、ＣＲユニット７０は、併設する遊技台１１０の玉貸ボタンのボタン操作を検出すると、現在プリペイド残額に基づき遊技玉の貸出を実行することになる。
【０２３１】
また、計数ユニット８０は、会員カードや一般カード等の持玉カードを挿入する持玉カード挿入口８１と、携帯用リーダライタ部８２と、遊技台１１０で獲得玉を計数し、その計数結果を現在持玉数として表示する持玉計数表示部８３と、計数ユニット８０の動作状態を表示する計数ユニット側状態表示ランプ８４と、携帯電話機２の会員ＩＤｍ１６Ｇに対応する貯玉残高１６Ｅに現在持玉を貯玉する貯玉ボタン８５とを有している。
【０２３２】
実施例２の遊技台管理システムでは、既存のＣＲユニット７０を使用するため、プリペイド残額については携帯電話機２の会員ＩＤｍ１６Ｇと紐付け管理ができないが、貯玉残高１６Ｅや持玉残高１６Ｄについては実施例１の遊技台管理システム１と同様、携帯電話機２の会員ＩＤｍ１６Ｇに紐付け管理している。
【０２３３】
尚、請求項記載の第１ユニットはＣＲユニット７０、第２ユニットは計数ユニット８０に対応するものである。
【０２３４】
次に、実施例２の遊技台管理システムの動作について説明する。図１３は、実施例２の遊技台管理システム全体の動作概要を端的に示す説明図である。
【０２３５】
図１３において玉貸出機３Ａ内のＣＲユニット７０は、紙幣投入口７１を通じて遊技客からの１万円札投入を検知すると（ステップＳ１６１）、島コントローラ１２０及びＬＡＮ経由で１万円の入金登録を管理装置４に指示する（ステップＳ１６２）。尚、管理装置４では、入金登録を検出すると、記憶管理部１４内のカード管理ＤＢ１７内のプリペイド残額ＤＢ１７Ａに同玉貸出機３内の一般カードを識別するカードＩＤに紐付けて登録することになる。
【０２３６】
遊技客は、プリペイド残額に基づく玉貸を要求する際、遊技台１１０の玉貸ボタンをボタン操作することになる。
【０２３７】
ＣＲユニット７０は、玉貸ボタンのボタン操作を検出すると（ステップＳ１６３）、管理装置４のプリペイド残額ＤＢ１７Ａに管理中の同ＣＲユニット７０の一般カードのカードＩＤに対応したプリペイド残額に基づき、遊技玉の貸出を実行する。
【０２３８】
玉貸出機３Ａ内の計数ユニット８０は、玉計数部を通じて現在獲得玉を計数し（ステップＳ１６４）、その計数した現在獲得玉を現在持玉の持玉登録を管理装置４に指示する（ステップＳ１６５）。尚、管理装置４では、持玉登録を検出すると、記憶管理部１４内のカード管理ＤＢ１７内の持玉ＤＢ１７ＣにカードＩＤに紐付けて登録することになる。
【０２３９】
その後、遊技客は、遊技台１１０のプレイ終了後、現在持玉を貯玉する際、玉貸出機３Ａ内の計数ユニット８０の貯玉ボタン８５をボタン操作する。
【０２４０】
計数ユニット８０は、貯玉ボタン８５のボタン操作を検出すると（ステップＳ１６６）、携帯用リーダライタ部８２の操作受付を有効にし、携帯用リーダライタ部８２の有効表示部８２Ａを点灯表示する（ステップＳ１６７）。尚、遊技客は、有効表示部８２Ａの点灯表示を見て、携帯用リーダライタ部８２の操作受付が有効状態であることを認識できる。
【０２４１】
計数ユニット８０は、携帯用リーダライタ部８２を通じて携帯電話機２のかざし操作を検出すると（ステップＳ１６８）、持玉ＤＢ１７Ｃ内のカードＩＤに対応した現在持玉数を会員管理ＤＢ１６内の携帯電話機２のＩＤｍ１６Ｇに対応した貯玉残高１６Ｅに貯玉更新すべく、島コントローラ１２０及びＬＡＮ経由で貯玉更新指示を管理装置４に通知する（ステップＳ１６９）。尚、管理装置４は、持玉ＤＢ１７Ｃ内のカードＩＤに対応した現在持玉数を会員管理ＤＢ１６内の貯玉残高１６Ｅへ貯玉更新する。その結果、管理装置４では、貯玉残高１６Ｅに貯玉更新した持玉ＤＢ１７Ｃ内のカードＩＤに対応した現在持玉が消去されることになる。
【０２４２】
ＣＲユニット７０は、プリペイド残数が残っている場合、一般カードとしてカード挿入口７４から排出する（ステップＳ１７０）。
【０２４３】
遊技客は、一般カードのカードＩＤに紐付けたプリペイド残額を精算する際、カード精算機１６０のカード挿入口１６１に挿入する。
【０２４４】
カード精算機１６０は、カード挿入口１６１に対する一般カードの挿入を検出すると（ステップＳ１７１）、プリペイド残額ＤＢ１７Ａ内の一般カードのカードＩＤに対応する
プリペイド残額を消去する残額更新指示をＬＡＮ経由で管理装置４に通知すると共に（ステップＳ１７２）、プリペイド残額分の精算金を出金する（ステップＳ１７３）。
【０２４５】
そして、遊技客は、会員管理ＤＢ１６内の携帯電話機２のＩＤｍ１６Ｇに紐付けた貯玉残高１６Ｅを景品交換する場合、カウンタに赴き、景品管理機１３０の携帯用リーダライタ部１３０Ａに対して携帯電話機２のかざし操作を実行する。
【０２４６】
景品管理機１３０は、携帯用リーダライタ部１３０Ａに対して携帯電話機２のかざし操作を検出すると（ステップＳ１７４）、携帯電話機２のＩＤｍ１６Ｇに対応した会員管理ＤＢ１６内の貯玉残高１６Ｅから景品相当分の玉数を引き落とす貯玉更新指示をＬＡＮ経由で管理装置４に指示する（ステップＳ１７５）。その後、景品管理機１３０のオペレータは、景品を遊技客に引き渡すことになる（ステップＳ１７６）。
【０２４７】
実施例２では、既存のＣＲユニット７０に対して玉計数機能を内蔵した計数ユニット８０を増設するダブルサンド方式であっても計数ユニット８０内に、管理装置４に管理中の携帯電話機２のＩＤｍ１６Ｇに対応付けて貯玉残高１６Ｅの貯玉更新指示や持玉残高１６Ｄの持玉更新指示を実行する貯玉更新指示部５９や持玉更新指示部６０を内蔵した。その結果、既存のＣＲユニット７０を活用しながら、携帯電話会員は、カウンタに赴かなくても、計数ユニット８０に対する貯玉ボタン８５のボタン操作及び携帯電話機２のかざし操作で、管理中の貯玉残高１６Ｅに現在持玉を貯玉できる。
【０２４８】
また、同様に、携帯電話会員は、カウンタに赴かなくても、計数ユニット８０に対する持玉ボタンのボタン操作及び携帯電話機２のかざし操作で、管理中の持玉残高１６Ｄに現在持玉を更新できる。
【０２４９】
尚、本実施例では、遊技媒体として、パチンコ遊技台で使用する遊技玉を例に挙げて説明したが、遊技玉に限定されるものではなく、例えば、パチスロ遊技台で使用する遊技メダルであっても、同様の効果が得られることは言うまでもない。
【０２５０】
また、本実施例では、携帯電話機２のＩＤｍ１６Ｇに紐付けして持玉数を貯玉するようにしたが、携帯電話機２の電話番号等に紐付けにしたとしても、同様の効果が得られることは言うまでもない。
【０２５１】
また、本実施例では、携帯媒体として遊技客保有の携帯電話機２を例に挙げて説明したが、携帯電話機２に限定されるものではなく、個別識別情報を内蔵した汎用的に使用される定期券等のＩＣカードを使用したとしても、同様の効果が得られることは言うまでもない。
【０２５２】
また、本実施例では、玉貸出機３からの貯玉更新指示又は持玉更新指示時にプリペイド残額の残額更新指示を実行し、管理装置４側で残額更新指示を検出すると、管理中の会員ＩＤ１６Ｇに対応したプリペイド残額１６Ｃに現在プリペイド残額を更新するようにしたが、玉貸出機３に残額更新ボタンを備え、この残額更新ボタンのボタン操作に応じて携帯用リーダライタ部３３の操作受付を有効にし、携帯電話機２のかざし操作を検出すると、同携帯電話機２のＩＤｍ１６Ｇに対応するプリペイド残額１６Ｃに現在プリペイド残額を更新するようにしても良い。
【０２５３】
また、本実施例では、例えば、貯玉ボタン３４Ｅ（８５）のボタン操作検出後、携帯用リーダライタ部３３（８２）の操作受付を有効したが、携帯用リーダライタ部３３（８２）を常時有効にし、携帯用リーダライタ部３３（８２）にて携帯電話機２のかざし操作検出後、携帯電話機２の会員ＩＤｍ１６Ｇがあるか否かを管理装置４側に問い合わせ、会員ＩＤｍ１６Ｇがある場合、例えば、貯玉ボタン３４Ｅ等のボタン操作を受け付けるようにしても良く、貯玉ボタン３４Ｅ（８５）のボタン操作を検出した場合、会員ＩＤｍ１６Ｇに対応した貯玉残高１６Ｅに現在持玉の加算更新を管理装置４に指示すべく、貯玉更新指示を管理装置４に通知するようにしても、同様の効果が得られることは言うまでもない。
【０２５４】
また、本実施例では、持玉やプリペイド価値を管理装置４に登録するタイミングは入金時点や玉計数時点に限定されるものではなく、例えば、玉貸出機３（ＣＲユニット７０や計数ユニット８０）内のメモリに持玉やプリペイド価値を記憶して持玉返却や玉貸処理を実行し、貯玉実行時やカード排出時に、持玉やプリペイド価値を管理装置４に登録するようにしても良く、この場合でも、同様の効果が得られることは言うまでもない。
【０２５５】
また、本実施例では、持玉、貯玉及びプリペイド価値等を単一の管理装置４で管理するようにしたが、持玉、貯玉及びプリペイド価値毎に個別の管理装置で管理、又は、持玉及びプリペイド価値をカード管理装置で管理し、貯玉を会員管理装置で管理するようにしても良く、この場合でも、同様の効果が得られることは言うまでもない。
【０２５６】
以上、本発明の実施例について説明したが、本実施例によって本発明の技術的思想の範囲が限定されるものではなく、特許請求の範囲に記載した技術的思想の範囲を逸脱しない限り、各種様々な実施例が実施可能であることは言うまでもない。また、本実施例に記載した効果は、これに限定されるものではない。
【０２５７】
また、本実施例で説明した各種処理の内、自動的に行われるものとして説明した処理の全部又は一部を手動で行うことも可能であることは勿論のこと、その逆に、手動で行われるものとして説明した処理の全部又は一部を自動で行うことも可能であることは言うまでもない。また、本実施例で説明した処理手順、制御手順、具体的名称、各種データやパラメータを含む情報についても、特記した場合を除き、適宜変更可能であることは言うまでもない。
【０２５８】
また、図示した各装置の各構成要素は機能概念的に記載したものであって、必ずしも物理的に図示のように構成されるものではなく、その各装置の具体的な態様は図示のものに限縮されるものでは到底ないことは言うまでもない。
【０２５９】
さらに、各装置で行われる各種処理機能は、ＣＰＵ（Ｃｅｎｔｒａｌ  Ｐｒｏｃｅｓｓｉｎｇ  Ｕｎｉｔ）（又はＭＰＵ（Ｍｉｃｒｏ  Ｐｒｏｃｅｓｓｉｎｇ  Ｕｎｉｔ）、ＭＣＵ（Ｍｉｃｒｏ  Ｃｏｎｔｒｏｌｌｅｒ  Ｕｎｉｔ）等のマイクロ・コンピュータ）上、又は同ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【産業上の利用可能性】
【０２６０】
本発明の遊技媒体管理システムでは、携帯電話会員の場合、カウンタに赴かなくても、遊技媒体貸出装置に対する簡単な操作で、管理中の貯蓄遊技媒体数に現在保有遊技媒体数を貯蓄できるため、例えば、遊技台に併設した玉貸出機に有用である。
【図面の簡単な説明】
【０２６１】
【図１】実施例１の遊技台管理システム全体の概略構成を示すブロック図である。
【図２】管理装置内部の概略構成を示すブロック図である。
【図３】管理装置内部の会員管理ＤＢのデータ内容を端的に示す説明図である。
【図４】実施例１の玉貸出機の正面図である。
【図５】玉貸出機内部の概略構成を示すブロック図である。
【図６】実施例１の遊技台管理システム全体の動作概要を端的に示す動作説明図である。
【図７】玉貸出機の携帯貯玉処理に関わる制御部の処理動作を示すフローチャートである。
【図８】玉貸出機の携帯持玉処理に関わる制御部の処理動作を示すフローチャートである。
【図９】玉貸出機の携帯玉貸処理に関わる制御部の処理動作を示すフローチャートである。
【図１０】玉貸出機の携帯再プレイ処理に関わる制御部の処理動作を示すフローチャートである。
【図１１】玉貸出機の携帯持玉返却処理に関わる制御部の処理動作を示すフローチャートである。
【図１２】実施例２の玉貸出機（ダブルサンド方式）の正面図である。
【図１３】実施例２の遊技台管理システム全体の動作概要を端的に示す動作説明図である。
【符号の説明】
【０２６２】
１  遊技台管理システム
２  携帯電話機
３  玉貸出機
４  管理装置
１６  会員管理ＤＢ
１８Ａ  貯玉管理部
１８Ｂ  持玉管理部
１８Ｃ  プリペイド管理部
３３  携帯用リーダライタ部
３３Ａ  有効表示部
３４Ｂ  玉貸ボタン
３４Ｃ  再プレイボタン
３４Ｄ  玉返却ボタン
３４Ｅ  貯玉ボタン
３４Ｆ  持玉ボタン
４２  玉計数部
４３  遊技玉メカ機構
５２  操作受付制御部
５３  ＩＤｍ取得部
５６  玉貸制御部
５７  再プレイ制御部
５９  貯玉更新指示部
６０  持玉更新指示部
６１  プリペイド残額指示部
【図１】
2010154984.tif 000003
【図２】
2010154984.tif 000004
【図３】
2010154984.tif 000005
【図４】
2010154984.tif 000006
【図５】
2010154984.tif 000007
【図６】
2010154984.tif 000008
【図７】
2010154984.tif 000009
【図８】
2010154984.tif 000010
【図９】
2010154984.tif 000011
【図１０】
2010154984.tif 000012
【図１１】
2010154984.tif 000013
【図１２】
2010154984.tif 000014
【図１３】
2010154984.tif 000015